(57)【要約】本発明は家具のための天蓋設計、このような天蓋を樹脂及びプラスチック製の枠組み及び管状の枠組みに取り付けるための取り付け部材を提供する。また本発明は取り付け方法及び組み立て方法を提供する。
2005533539.tif 000002
【特許請求の範囲】
【請求項１】
家具用品に取り付けるための天蓋であって、前記天蓋は第１アームを有し、前記第１アームの一端部又はこの付近には固定系の第１構成部が具備され、前記第１アームの他方の端部又はこの付近にはジョイントが具備され、前記ジョイントは第２アームに接続され、前記ジョイントは前記第１アームの第２アームに対する方位付けを変動可能にし、前記第２アームは第２ジョイントを有し、前記第２ジョイントは更なるアームに接続され、前記１又は複数のアームは１又は複数のスクリーンを支持するように構成されることを特徴とする天蓋。
【請求項２】
前記第２アームは第３アームを介して前記更なるアームに非直接的に接続されることを特徴とする請求項１記載の天蓋。
【請求項３】
第１及び／又は第２及び／又は第３及び／又は更なるアームの対が設けられることを特徴とする請求項１又は２記載の天蓋。
【請求項４】
前記家具用品は椅子、デックチェア、ラウンジチェア、リクライニングチェア、座席、又はリクライニングシートに相当することを特徴とする請求項１乃至３記載の天蓋。
【請求項５】
前記第１アームの長さは１又は複数のリピート部によって変更可能であることを特徴とする請求項１乃至４記載の天蓋。
【請求項６】
前記１又は複数のジョイントは一面上に半径方向に延びる一連のリッジによって構成されるラチェットを有し、前記一面は各ジョイントに具備され、前記一面は相互に係合するリッジを保持することを特徴とする請求項１乃至５記載の天蓋。
【請求項７】
前記ジョイントの一部分はその回転軸を包囲する突起部を具備し、前記突起部は前記ジョイントの他方の部分の回転軸周囲に具備される陥凹部と連結することを特徴とする請求項６記載の天蓋。
【請求項８】
前記１又は複数のジョイント、とりわけ前記第１ジョイントは一方向における回転限度を有し、前記回転限度は前記ジョイントの一部分に具備される突出部及び前記ジョイントの他方の部分に具備されるストップによって構成され、前記突出部と前記ストップとは前記回転限度において相互接触するように構成されることを特徴とする請求項６記載の天蓋。
【請求項９】
前記ストップは金属補強部材を具備することを特徴とする請求項８記載の天蓋。
【請求項１０】
前記ジョイントは前記回転限度においてストップと接触する更なる突出部を有し、前記更なる突出部は前記第１突出部から円周上に角度１６０度から２００度離間されることを特徴とする請求項８又は９記載の天蓋。
【請求項１１】
前記天蓋は４以上のセクションから構成されることを特徴とする請求項１乃至１０記載の天蓋。
【請求項１２】
前記第１セクションは第１アームの対及び第１ジョイント間のリンクによって形成され、前記第２セクションは第２アームの対、前記第１ジョイント間のリンク、及び前記第２ジョイント間のリンクから形成され、前記第３セクションは更なるアームの対、前記第２ジョイント間のリンク、及び更なるジョイント間のリンクによって形成されることを特徴とする請求項１２記載の天蓋。
【請求項１３】
前記第１アーム間の間隔は前記第２アーム間の間隔よりも小さく、前記更なるアーム間の間隔は前記第３アーム間の間隔よりも小さいことを特徴とする請求項１乃至１２記載の天蓋。
【請求項１４】
前記第１アームは前記第２アームよりも短く、前記更なるアームは前記第３アームよりも短いことを特徴とする請求項１乃至１３記載の天蓋。
【請求項１５】
天蓋を家具用品に取り付ける方法であって、前記方法は家具用品に固定系の１又は複数の第２構成部を設置し、天蓋を設置する工程を含み、前記天蓋は第１アームを有し、前記第１アームの一端部又はこの付近には前記固定系の第１構成部が具備され、前記第１アームの他方の端部又はこの付近にはジョイントが具備され、前記ジョイントは第２アームに接続され、前記ジョイントは前記第１アームの前記第２アームに対する方位付けを変動可能にし、前記第２アームは第２ジョイントを具備し、前記第２ジョイントは更なるアームに接続され、前記１又は複数のアームは１又は複数のスクリーンを支持し、更に前記固定系の前記第１構成部を前記第２構成部に接続する工程を含むことを特徴とする方法。
【請求項１６】
固定系の一構成部分を含む取り付け部材であって、前記取り付け部材は第１部分及び第２部分から構成され、前記第１部分と第２部分とは相互に取り外し可能に係合され、前記第１部分と第２部分は前記第１部分と第２部分との間に導管を形成し、前記導管は使用中枠組みを受け止め、前記第１部分は所定位置で前記導管と対面する第１枠組み係合部及び所定位置で前記導管と対面する第２枠組み係合部を有し、前記第１枠組み係合部の所定位置における前記導管の軸は前記第２枠組み係合部の所定位置における導管の軸と異なるように構成されることを特徴とする取り付け部材。
【請求項１７】
前記取り付け部材が使用中に取り付けられるアイテムとして天蓋、日除け、日除けスクリーン、かさ、パラソル、雨よけ、又はテーブルが取り付けられることを特徴とする請求項１６記載の取り付け部材。
【請求項１８】
前記取り付け部材の陥凹部が２つの部分によって構成され、このうちの第１の部分は前記取り付け部材の第１部分における陥凹部によって構成され、第２の部分は前記取り付け部材の第２部分における陥凹部によって構成されることを特徴とする請求項１６又は１７いずれかに記載の取り付け部材。
【請求項１９】
特に育児用装備において適用される取り付け部材において前記陥凹部は前記取り付け部材の第１部分によって構成されることを特徴とする請求項１７又は１８いずれかに記載の取り付け部材。
【請求項２０】
前記取り付け部材の第１本体部は取り外し可能な固定部の設置箇所を有し、前記取り外し可能な固定部は前記取り付け部材の第２本体部における設置箇所及び／又は前記第２本体部の内面に係合するように構成されることを特徴とする請求項１６乃至１９のいずれかに記載の取り付け部材。
【請求項２１】
前記導管は連続導管を構成することを特徴とする請求項１６乃至２０のいずれかに記載の取り付け部材。
【請求項２２】
前記導管は前記第１枠組み係合部及び前記第２枠組み係合部のみによって形成されることを特徴とする請求項１６乃至２０いずれかに記載の取り付け部材。
【請求項２３】
前記第１枠組み係合部と前記第２枠組み係合部との間において前記導管は開口部を形成し、前記開口部は前記枠組みの第１線形素子と第２線形素子とを連結するリンク素子として各種異なる湾曲形状又は湾曲直径を有するリンク素子を収容可能に構成されることを特徴とする請求項１６乃至２２いずれかに記載の取り付け部材。
【請求項２４】
前記取り付け部材は湾曲素子によって連結される第１素子及び第２素子によって構成される箇所において前記枠組みに取り付けられることを特徴とする請求項１６乃至２３いずれかに記載の取り付け部材。
【請求項２５】
前記第１部分の前記第１枠組み係合部の形状は係合対象の枠組みの素子の形状に一致するように構成され、前記第２部分の前記第１枠組み係合部の形状は係合対象の素子の形状に一致するように構成されることを特徴とする請求項１６乃至２４いずれかに記載の取り付け部材。
【請求項２６】
前記第１枠組み係合部の位置における前記導管の軸及び／又は前記第２枠組み係合部の位置における前記導管の軸はその点における軸の投射に相対することを特徴とする請求項１６乃至２５いずれかに記載の取り付け部材。
【請求項２７】
各第１枠組み係合部の位置における前記導管は共に同一の軸を有し、各第２枠組み係合部の位置における前記導管はともに同一の軸を有することを特徴とする請求項１６乃至２６いずれかに記載の取り付け部材。
【請求項２８】
１つ又は両方の第１枠組み係合部の軸は１つ又は両方の第２枠組み係合部の軸と３０度以上異なることを特徴とする請求項１６乃至２７いずれかに記載の取り付け部材。
【請求項２９】
１つ又は両方の第１枠組み係合部の軸は１つ又は両方の第２枠組み係合部の軸と７５度以上異なることを特徴とする請求項１６乃至２６いずれかに記載の取り付け部材。
【請求項３０】
固定系の一部分を含む取り付け部材であって、前記取り付け部材は第１部分及び第２部分から構成され、前記第１及び第２部分は相互に取り外し可能に枠組みの周りに係合し、前記枠組みは前記取り付け部材の第１及び第２部分によって形成される導管内に受け止められ、各第１及び第２部分はそれぞれ前記導管の一端部又はこの付近において前記導管内に第１枠組み係合部を具備し、前記導管の他方の端部又はこの付近において前記導管内に第２枠組み係合部を具備し、前記第１枠組み係合部は相互に対向し、前記第２枠組み係合部は相互に対向し、前記一端部における前記導管の軸は前記他方の端部における前記導管の軸に対して７５度以上の角度を形成することを特徴とする取り付け部材。
【請求項３１】
陥凹部に具備される固定系のメス部を含む取り付け部材であって、前記取り付け部材は第１部分及び第２部分から構成され、前記第１部分は第１本体部、導管形成部、及び第２本体部を含み、第２部分は第１本体部、導管形成部、及び第２本体部を含み、前記第１部分と前記第２部分とは実施知的に相互対称的に構成され、前記第１及び第２部分によって形成される前記導管は使用中家具用品の枠組みの一部を包囲し、前記導管は前記枠組み第１線形素子の少なくとも一部分、前記枠組みの湾曲素子、及び前記枠組みの第２線形素子の少なくとも一部分を受け止めるように構成されることを特徴とする取り付け部材。
【請求項３２】
固定系の一部分を含む取り付け部材を枠組みに取り付ける方法であって、
前記取り付け部材の第１部分を前記枠組みの一端部に設置し、前記枠組みが部分的に前記第１部分によって形成される導管内に受け止められるようにし、
前記取り付け部材の第２部分を前記枠組みの他方の端部に設置し、前記枠組みが部分的に前記第２部分によって形成される導管内に受け止められるようにし、
１又は複数の固定器具を用いて前記取り付け部材の前記第１及び第２部分を結合させて、これら部分間に位置する枠組みを前記導管内に収容されるようにし、前記第１及び第２部分の各第１枠組み係合部と、前記第１及び第２部分の各第２枠組み係合部とが前記枠組みに係合するようにする工程を含み、
前記導管の一端部又はこの付近における前記枠組みの軸は前記導管の他方の端部又はこの付近における前記枠組みの軸とは異なる角度に方位付けられることを特徴とする方法。
【請求項３３】
前記方法は更に前記固定系のもう一部分を具備する天蓋、日除け、又はサンシェードを前記取り付け部材に含まれる固定系の前記一部分を用いて前記取り付け部材に取り付ける工程を含むことを特徴とする請求項３２記載の方法。
【請求項３４】
固定系の一部分を含む取り付け部材であって、
第１素子、第２素子、及び更なる素子を有し、
前記第１素子は第１アイテム接触面及び第１アイテム係合面を有し、前記第１アイテム係合面の少なくとも一部分は第１アイテム接触面と反対方向に面し、
前記第２素子は第２アイテム接触面及び第２アイテム係合面を有し、前記第２アイテム係合面の少なくとも一部分は第２アイテム接触面と反対方向に面し、
前記更なる素子は更なるアイテム接触面を有し、
前記第１、第２、及び更なるアイテム接触面は相互対して方位付けられるように行為制されることを特徴とする取り付け部材。
【請求項３５】
固定系の一部分を含む取り付け部材であって、
第１素子、第２素子、及び更なる素子を有し、前記更なる素子は更なるアイテム接触面を有し、
前記第１素子は第１アイテム接触面及び第１アイテム係合面を有し、前記第１アイテム係合面の少なくとも一部分は第１アイテム接触面に対面し、
前記第２素子は第２アイテム接触面及び第２アイテム係合面を有し、前記第２アイテム係合面の少なくとも一部分は第２アイテム接触面に対面し、
前記第１、第２、及び更なるアイテム接触面は相互対して方位付けられるように行為制されることを特徴とする取り付け部材。
【請求項３６】
前記取り付け部材はプラスチック製であることを特徴とする請求項３４又は３５記載の取り付け部材。
【請求項３７】
前記取り付け部材はアイテムのための取り付け部材であって、前記アイテムは椅子、陸ラインイングチェア、ラウンジチェア、リクライニングラウンジ、又はその他の家具に相当することを特徴とする請求項３４乃至３６にいずれかに記載の取り付け部材。
【請求項３８】
前記固定系の一部分は前記取り付け部材内の陥凹部に具備されることを特徴とする請求項３４乃至３７のいずれかに記載の取り付け部材。
【請求項３９】
前記第１素子は前記固定系の一部分が設置される側の反対側に第１アイテム接触面を具備することを特徴とする請求項３４乃至３８のいずれかに記載の取り付け部材。
【請求項４０】
前記第１アイテム係合部／面、前記第１アイテム接触面、及び更なる素子の間に形成される開口部の断面は前記アイテムのその位置における断面と一致することを特徴とする請求項３４乃至３９のいずれかに記載の取り付け部材。
【請求項４１】
前記アイテム係合部は前記第１素子からの突出部から構成され、前記アイテム係合部は前記更なる素子に対面し且つ／又は前記第１接触面に隣接する第１アイテム接触面を具備することを特徴とする請求項３４乃至４０のいずれかに記載の取り付け部材。
【請求項４２】
前記第１アイテム係合面は前記接触面に対面する１又は複数の部分を有することを特徴とする請求項３４乃至４１のいずれかに記載の取り付け部材。
【請求項４３】
前記第１アイテム係合部の少なくとも一部分及び／又は前記第１アイテム係合面は変形可能であり、第１正常状態が提供され、第２変形状態が提供され、前記第１アイテム係合部／面は取り付けを可能にするために前記第２変形状態に設定され、前記第１アイテム係合部／面は取り付けられると前記第１正常状態に戻るあるいは設定されることを特徴とする請求項３４乃至４２のいずれかに記載の取り付け部材。
【請求項４３】
前記第１アイテム係合部又は第２アイテム係合部のうちの１つはそれぞれの素子及び／又はアイテム接触面に対面する壁を有し、前記壁はその素子からの突出部上に具備されることを特徴とする請求項３４乃至４２のいずれかに記載の取り付け部材。
【請求項４４】
前記更なる素子は実質的に平面状であって、前記更なる素子は内部に更なるアイテム接触面を具備し、前記更なる素子は更なる接触面を有し、前記接触面の形状は前記アイテムの適用箇所における外面形状と一致するように構成されることを特徴とする請求項３４乃至４３のいずれかに記載の取り付け部材。
【請求項４５】
前記更なる素子は前記第１素子と前記第２素子とを連結し、前記第１、第２、及び更なる素子は角形状取り付け部材を構成することを特徴とする請求項３４乃至４４のいずれかに記載の取り付け部材。
【請求項４６】
前記第１及び／又は第２及び／又は更なる素子は相互に対して７０度から１１０度の角度に方位付けられることを特徴とする請求項３４乃至４５のいずれかに記載の取り付け部材。
【請求項４７】
前記更なる素子は１又は複数の貫通孔を有し、前記更なる素子は各第１アイテム係合部付近部位において前記各第１アイテム係合部に対応する前記貫通孔を１以上具備し、且つ／又は各第２アイテム係合部付近部位において前記各第２アイテム係合部に対応する前記貫通孔を１以上具備することを特徴とする請求項３４乃至４６のいずれかに記載の取り付け部材。
【請求項４８】
固定系の一部分を含む取り付け部材を好ましくは家具などのアイテムに取り付ける方法であって、
取り付け部材を設置する工程を含み、前記取り付け部材は
第１素子、第２素子、及び更なる素子を有し、
前記第１素子は第１アイテム接触面及び第１アイテム係合面を有し、前記第１アイテム係合面の少なくとも一部分は第１アイテム接触面と反対方向に面し、
前記第２素子は第２アイテム接触面及び第２アイテム係合面を有し、前記第２アイテム係合面の少なくとも一部分は第２アイテム接触面と反対方向に面し、
前記更なる素子は更なるアイテム接触面を有し、
前記第１、第２、及び更なるアイテム接触面は相互に対して方位付けられ、前記方法は更に
前記第１及び第２アイテム係合部及び／又は第１及び第２アイテム係合面の少なくとも一部分を第１正常状態から第２変形状態に変形させて、
前記取り付け部材を取り付け位置に設置し、前記第１及び第２アイテム係合部／面を第１正常状態に戻す工程を含むことを特徴とする方法。
【請求項４９】
前記第１正常状態から前記第２変形状態への変更は前記第１及び第２アイテム係合面／部においてそれぞれ別々に実現されることを特徴とする請求項４８記載の方法。
【発明の詳細な説明】
【技術分野】
【０００１】
本発明は家具の改善技術に係り、特にラウンジチェアやリクライニングチェアなどのレクリエーション家具などに関する改善技術に係る。また、本発明は固定取り付け部材であって、特に天蓋や日除けなどを乳母車や車輪付き手押し椅子等の家具又は育児用装備の取り付けるために適用される固定取り付け部材の改善技術に関する。更に本発明は固定取り付け部材であって、特に家具に天蓋や日除けなどを取り付けるために適用される固定取り付け部材における改善技術に関する。
【背景技術】
【０００２】
近年ではラウンジチェア、リクライニングチェア、デックチェアなどのレクリエーション家具が普及してきている。このような家具は現在では多くの庭などに備えられている。また、このような家具は折りたたみ可能であるため、例えば家族でピクニック、キャンプ、海などに出かけるなどときに携帯されうる。また、リゾート地やクルーズ船などもこのようなレクリエーション家具にとって大きな市場を提供している。
【発明の開示】
【発明が解決しようとする課題】
【０００３】
このような家具の利便性を向上するために、本発明は各所アクセサリをこのような家具の部分に取り付け可能にする手段を提供することを目的とする。また、本発明はこのような家具のための有用な多目的アクセサリを提供することを目的とする。また、本発明はこのような取り付け手段を家具の構造や枠組みなどにとらわれず様々な形態のレクリエーション家具に適用できるように構成することを目的とする。また、本発明は製造者などにとらわれず様々なレクリエーション家具に取り付け可能である取り付け手段を具備するアクセサリを提供することを目的とする。更に本発明は簡単に取り付け／取り外しが可能で、このような操作を常時又は頻繁に実行するユーザにとって好都合である取り付け手段を提供することを目的とする。
【０００４】
従来における天蓋などに付属される固定部材のための取り付け部材の設計には様々な問題がある。特に管状の枠組みへの取り付けを好適に実現するための取り付け部材を提供することは困難であった。また、従来においては既存の構成に改良部品を組み込むための取り付け部材については十分に考慮されていない。
【０００５】
したがって本発明は固定系の一部分の好適な取り付け部材を提供することを一つの目的とする。なお、本発明は新たな製品アイテムに取り付ける取り付け部材及び既存のアイテムに取り付けるための取り付け部材の両方を提供することをその目的とする。また、本発明は様々な枠組み構成に好適に対応する固定部材を提供することをその目的とする。また、本発明は既存の構成に組み込むのに適する取り付け部材を提供することをその目的とする。また、本発明は既に組み立てられた枠組みに容易に取り付けられうる取り付け部材を提供することをその目的とする。
【０００６】
天蓋を確実に固定するための固定器具の取り付け部材を提供しようとする場合、既存の取り付け部材の設計では様々な問題が発生する。このような問題は様々な目的で使用される様々な材料の枠組みについて発生するが、特に家具などによく適用される樹脂製の枠組みに対して好適な取り付け部材を提供する際には多くの問題に直面する。これらの問題は既存の組み立て枠組みにこのような固定器具取り付け部材を導入しようとした場合に特に顕著であるが、これに対する対策は従来技術においては取り扱われていない。
【０００７】
本発明は固定系の一部分に対応する取り付け部材を提供することをその目的とする。また、本発明は様々な枠組み構成に好適に対応する固定部材を提供することをその目的とする。また、本発明は既存の構成に組み込むのに適する取り付け部材を提供することをその目的とする。また、本発明は既存のプラスチック製の枠組みに容易に取り付けられうる取り付け部材を提供することをその目的とする。
【課題を解決するための手段】
【０００８】
本発明の第１仕様としては、家具用品に取り付けるための天蓋であって、前記天蓋は第１アームを有し、前記第１アームの一端部又はこの付近には固定系の第１構成部が具備され、前記第１アームの他方の端部又はこの付近にはジョイントが具備され、前記ジョイントは第２アームに接続され、前記ジョイントは前記第１アームの第２アームに対する方位付けを変動可能にし、前記第２アームは第２ジョイントを有し、前記第２ジョイントは更なるアームに接続され、前記１又は複数のアームは１又は複数のスクリーンを支持するように構成される天蓋を提供する。
【０００９】
なお、前記第２アームは好ましくは第３アームを介して前記更なるアームに非直接的に接続される。また、好適には第１及び／又は第２及び／又は第３及び／又は更なるアームの対が設けられる。
【００１０】
このような天蓋は日光の遮断又は防御を実現しうる。この天蓋は７５％以上又は９０％以上の日光からの遮断効果を提供しうる。この天蓋は特に風を通すために通気性を有する布から形成されうる。なお、天蓋によって提供される日陰は天蓋を第２アームと更なるアームとが折り合わされた状態及び／又は第２アームと第３アームとが折り合わされた状態及び／又は第３アームと更なるアームとが折り合わされた状態で使用することによって拡大されうる。
【００１１】
取り付けは好適には２部構成の固定系によって実現される。この２部構成の固定系は好適にはアイテムに具備される第２構成部を含む。さらに好適には第１構成部及び第２構成部は相互に取り外し可能に係合して取り付けを実現する。また好適にはこの第１及び第２構成部はユーザのいずれの手によっても取り外し及び／又は係合が実現されうる。
【００１２】
なお、家具用品は椅子、デックチェア、ラウンジチェア、リクライニングチェア、座席、又はリクライニングシートに相当しうる。また家具用品は１又は複数人数を収容しうる。
【００１３】
また好適には第１アームは取り付け部材によって第１構成部に取り付けられる。また好適には取り付け部材は第１アームの端部を受け止める部分を有する。また好適にはスライド係合が実現される。なお、取り付け部材と第１アームとの位置関係を維持するために連結ラグ及び陥凹部などの素子を設置することが可能である。
【００１４】
また、好適には第１構成部は取り付け部材に対して回転可能な素子によってこの取り付け部材に接続される。この回転可能な素子は導管内に収容されうる。好適にはこの回転可能な素子はピンに搭載され、このピンは理想的には導管の長さにわたって延在する。なお、取り付け部材は第１側部と第２側部とを連結しうる。好適にはこの第１側部及び第２側部が導管を形成する。この素子は円盤素子に相当しうる。この第１側部及び第２側部は前記素子の形状と同様の形状を有するように構成されうる。また好適にはピンが第１側部の開口部に設けられ、素子における開口部を通過して第２側部の開口部に設けられる。またこの回転可能素子は自由に回転可能に設置されるかあるいは取り外し可能に固定されうる。好適には取り付け部材のアーム受け止め部分は２つの側部の間にわたって延在する。
【００１５】
また、好適にはこの回転可能素子は第１構成部の連続部に連結される。この回転可能素子は第１構成部の本体部に直接接続されうる。
【００１６】
また、第１構成部は第１アームの軸に対してオフセットされうる。第１構成部は使用中第１アームに比べて家具用品の直立部分に接近した位置に配置されうる。
【００１７】
なお、第１構成部はオス部に相当しうる。また第２構成部はメス部に相当しうる。好適には係合の際第１構成部の本体部は第２構成部内に受け止められる。また好適には係合の際まずこの第１構成部の本体部の先端エッジが第２構成部に挿入される。
【００１８】
また好適には第１構成部の本体部は連続部に接続される。また好適には係合の際この連続部の一部は第２構成部から延長する。また好適には本体部の先端エッジから１又は複数の支持アームが延長する。また好適にはこの１又は複数の支持アームによって隙間が形成される。また好適には各アームはラグ又は突出部を有する。好適にはこのラク又は突出部は第２構成部の一部分と連結する。好適にはアームを隙間内に変形させることによって係合が解除されうる。またアームはその終端部においてグリップ部を具備しうる。また好適には第１構成部の連続部は支持アームに取り付けられる。
【００１９】
また、好適には第１アームの長さは変更可能である。この長さは第１アームの一部を第１アームのもの一部内に伸縮させることによって調節可能である。なお、好適にはこの長さは取り外し可能な固定器具によって固定されうる。また好適には第１アームは線形である。また第１アームの長さは変更可能である。また、好適には第１アームの長さを調節するためにリピート部を適用することが可能である。また好ましくはジョイントが一端部に取り付けられ、固定部の一部分が他方の端部に取り付けられる。また好適にはこのリピート部はその一端において陥凹部を具備する。また、好適にはこのリピート部の他方の端部には突出部が設けられる。好適にはこの突出部は陥凹部の形状と一致する。この突出部はピンを構成しうる。
【００２０】
なお、第１アームは長方形断面を有することが可能である。
【００２１】
また、好適には２つのアームが設けられる。そして好適には２つのアームは同一形状を有する。これら２つの第１アームの間にはスクリーンが設置されうる。これら２つのアーム間には１又は複数の帯状素材が設置されうる。また２つの第１アーム間の隙間は解放されたままにすることも可能である。
【００２２】
第１ジョイントは第１アームの終端部に具備されうる。第１ジョイントは第１アームの一体構成部に相当するか、又は別個の構成部に相当しうる。第１アームはこのアームを通過してジョイントに接続するピンによってジョイントに接続されうる。なお、この同一のピンが第２アームを第１ジョイントに接続することが可能であり、また異なるピンが適用されることも可能である。好適にはピンは第１アームの第１ジョイントを第２アームの第１ジョイントに接続する。ピンは第１アーム間及び／又は第２アーム間に設けられるスクリーン及び／又は素材の支持又は取り付けを実現しうる。
【００２３】
なお、好適には第１アーム及び／又はそのジョイントと固定系の第１構成部とは別々の構成部である。
【００２４】
第１アームはそのジョイントの一部を構成するブロックの溝に受け止められうる。好ましくは、第１アームはノブによって溝内にクランプされる。第２アームはその第１ジョイントの一部を構成するブロックの溝に受け止められうる。好適には第２アームは第１ジョイントの反対側のジョイント側部における更なるノブによって溝内にクランプされる。これらのブロックは好ましくはそれぞれ異なるブロックを構成する。第１アームのブロックはジョイントのノブと連結しうる。好適にはノブを一方向に回転させることによって第１アームと第２アームとの方位付けが変更可能になる。またノブを逆方向に回転させることによってこれら第１アームと第２アームとの方位付けは固定されうる。また好適には、上記回転によってジョイントの固定器具が固定あるいは解除されうる。また好適にはジョイントは一面上に半径方向に延びる一連のリッジによって構成されるラチェットを有し、前記一面は各ジョイントに具備され、前記一面は相互に係合するリッジを保持する。また、ジョイントの一部分はその回転軸を包囲する突起部を具備し、前記突起部は前記ジョイントの他方の部分の回転軸周囲に具備される陥凹部と連結する。これらは好適には２つのジョイント部分の相互位置関係の設定を補助するために連結される。また、１又は複数のジョイント、とりわけ前記第１ジョイントは１方向における回転限度と他方向における回転限度との間を自由に回転可能に構成されうる。なおこれら回転限度から離れた位置において初期動作に対する抵抗が提供されうる。特に第１ジョイントなどにおける回転限度は前記ジョイントの一部分に具備される突出部及び前記ジョイントの他方の部分に具備されるストップによって構成され、前記突出部と前記ストップとは前記回転限度において相互接触するように構成されうる。このストップは金属部材から構成されうる。ある好適実施例によると、プラスチック製ウェブにピンが設置されうる。突出部は好適にはジョイントにおける投影を実現する他方の部分によって形成される導管内において突起を保持する部分へ移動する。また回転限度においてストップに接触する更なる突起が設置されうる。この更なる突起はジョイント外部に設置されうる。好適にはこの突起はジョイントの他方部分内の外側導管内を回転する。この導管は開放された側面を有しうる。この突起及び更なる突起は半径方向及び円周方向に離間されうる。これらの間隔は９０度から２７０度を構成し、より好ましくは１６０度から２００度の間に設定される。なお内側の導管は１又は複数のクロス部材によって補強されうる。
【００２５】
好適には各第１ジョイントには固定部が具備され、また１つのノブがこれら第１ジョイントの両方における固定部を緩め／絞めする。
【００２６】
この固定部は好適には解除可能な係合を実現しうる２つの面によって構成される。これら係合面は相互離間するようスプリングによって付勢されうる。また、これら面は歯と陥凹部、ピンと開口部、又はその他の結合系を具備しうる。また好適にはこれらのうちの一方の面は第１ブロック上の素子に設けられる。また他方の面は好適には第２ブロックに設置される。
【００２７】
また、好適には２つの第１ジョイントは略同一構成を有するが、一方だけが２つのジョイント、すなわち第１及び第２アームの位置付けを緩め／絞めするためのノブを有する。
【００２８】
なお、第２ジョイントは第１ジョイントと同様の構成を有しうる。また、第２ジョイントは以下のような構成を有することも可能であり、第１ジョイントもこのような構成を有することも可能である。すなわち第２ジョイントはその一端部は素子によって第２ジョイントの他方の端部に連結されうる。この素子はロッドなどに相当しうる。この素子はたとえばクロスアームなどの枠組みの一部内に設置されうる。ジョイントは第１ブロック及び第２ブロックから構成されうる。これらの第１及び第２ブロックは好適には係合面を介して係合される。これら係合面はスプライン及び／又は歯と陥凹部及び／又はピンと開口及び／又はその他の結合系を具備しうる。クロスアームはこれらのブロックのうちの一方と係合することができ、好ましくはこの係合はこのクロスアームの断面形状と一致する形状を有するブロックにおける陥凹部によって実現される。第１ブロックは好適にはアーム、とりわけ第２アームを受け止める陥凹部を具備する。第２ブロックは好適にはアーム、とりわけ更なるアームを受け止める陥凹部を具備する。また好適には素子の一端において同素子とノブとの係合が実現される。また好適には他方のジョイントにおける素子の他方の端部にはキャップが設置される。また好適にはノブを１方向に回転させることによって係合面の係合が緩められ、回転が許容される。また好適にはノブを他方向に回転させることによって係合面の係合が絞められる。また、好適には１方向への回転によってノブとキャップとの距離が拡大し、他方の方向への回転によってノブとキャップとの距離が縮められる。また好適には係合面を相互接触させるように付勢するスプリングが具備される。このスプリングは素子の周りに設置されうる。このスプリングはノブ及び／又はナットなどの素子の一部に係合しうる。
【００２９】
第２アーム及び／又は第２ジョイント及び／又は更なるアームは好適にはそれぞれ別の部分を構成する。
【００３０】
第２構成部は好ましくは家具用品に陥凹部を形成する形で実現される。第２構成部は家具用品の上部に陥凹部を形成する形で実現されうる。また第２構成部は部材に陥凹部を形成し、この部材を家具用品に取り付ける形で実現されうる。この部材は木材に相当しうる。なお、第２構成部及び／又はこの第２構成部を取り付けるための陥凹部の上部の周囲を覆うためのカバー及び／又は枠組み素材と第２構成部との接合部を覆うためのカバーを設けることが可能である。
【００３１】
なお、好適には各第２構成部に対応する第１構成部が設けられる。好適には第２構成部は開口又は陥凹部を具備し、これは第１構成部の１又は複数のアームに設けられるラグや突出部などと連結する。第２構成部は第１構成部の挿入時に第１構成部を第２構成部に誘導し、且つ／又は係合後第２構成部内での第１構成部の位置を制御するための１又は複数の溝、リッジ、又は面を具備しうる。
【００３２】
なお、第２構成部に対する第１構成部の挿入軸及び／又は取り外し軸は第１アームの軸に対して傾斜されうる。また第１構成部の挿入軸及び／又は取り外し軸は第２構成部の挿入軸及び／又は取り外し軸に対して傾斜されうる。好適には各軸は同一角度に相互反対方向に傾斜される。好適には各挿入軸は延長されることによって相互に接近する。
【００３３】
なお、好適には第２アームの長さは調節可能である。この長さは第２アームの一部を第２アームのもう一部内に伸縮させることによって調節可能である。なお、好適にはこの長さは取り外し可能な固定器具によって固定されうる。また好適には第２アームは線形である。また好適には第２アームの長さは一定である。また、第２アームは長方形断面を有することが可能である。
【００３４】
また、好適には２つの第２アームが設けられる。そして好適にはこの２つの第２アームは同一形状を有する。これら２つの第２アームの間にはスクリーンが設置されうる。これら２つのアーム間には１又は複数の帯状素材が設置されうる。
【００３５】
なお、第２ジョイントは上記第１ジョイントと同様の構成を有しうるが、ここでは同ジョイントは第２アームと更なるアームに連結する。
【００３６】
また、好適には２つの第２ジョイントは同一構成であるが、これらのうちの一方のみがジョイント、すなわち第２及び更なるアームの位置づけを緩め／絞めするためのノブを有する。
【００３７】
また好適には第２ジョイントは第２アームの端部に設けられる。好意的には第２ジョイントは第２アームと更なるアームとの相互位置関係を調整可能にする。
【００３８】
また、更なるアームはとりわけこれが終端アームである場合は１つのアームに相当することも可能である。この単一アームは半円を形成して一方の第２ジョイントから他方の第２ジョイントまで延長しうる。また更なるアームは、第２の更なるアームを含むことが可能である。これらの更なるアームはリンクアームイによって連結されうる。これら更なるアーム及びリンクアームは角部材によって連結されうる。これら角部材は例えばプラスチック製であってよい。またこれら更なるアーム間及び更なるアームとリンクアーム間にスクリーンが設置されうる。
【００３９】
また好適には更なるアーム間及び第２アーム間には単一のスクリーンが設置される。また更なるアーム間及び／又は第２アーム間及び／又は第１アーム間に複数のストリップを取り付けることも可能である。これらストリップは相互に重なり合か接触するように設置されるかあるいはストリップ間に隙間を開けた状態に設置されうる。
【００４０】
なおこのスクリーンはＰＶＣコートポリエステルから構成されうる。またスクリーンは糸から形成されうる。またスクリーンは溶接可能材料から形成されうる。またスクリーンには１又は複数の穴が形成されうる。
【００４１】
なお、天蓋は３部構成であってよい。この場合第１セクションは第１アームの対と第１ジョイント間のリンクによって形成されうる。第２セクションは第２アームの対と、第１ジョイント間のリンクと、第２ジョイント間のリンクによって形成されうる。第３セクションは更なるアームの対と、第２ジョイント間のリンクと、場合によってはリンクアームと、によって形成されうる。
【００４２】
また天蓋は４以上のセクションから構成されることも可能である。この場合好適には第１セクションは第１アームの対及び第１ジョイント間のリンクによって形成され、前記第２セクションは第２アームの対、前記第１ジョイント間のリンク、及び前記第２ジョイント間のリンクから形成され、前記第３セクションは更なるアームの対、前記第２ジョイント間のリンク、及び更なるジョイント間のリンクによって形成される。更なるセクションは第３セクションと同様に形成されうる。第４セクション及び／又は最終セクションは好ましくは更なるアームと、更なるジョイント間のリンクと、場合によっては更なるリンクアームによって形成されうる。
【００４３】
好適には第１アーム間の間隔は第２アーム間の間隔よりも狭い。これによって折りたたみ状態では第１アームは第２アーム間に形成される空間内に収容されうる。また、好適には第１アームは第２アームよりも短く設計される。また、更なるアーム間の間隔は第３アーム間の間隔よりも短く設計されることが好ましい。これによって折りたたみ状態では更なるアームが第３アーム間に収容されうる。また、好適には更なるアームは第３アームよりも短く設計される。また好適には第２アームと第３アームは相互に折り合わせられる。また好適には第３アームは第２アームよりも短く設計され、折りたたみ状態では第３アーム間と更なるアーム間のジョイントは第２アームの端部の内側に配置される。
【００４４】
また、好適には天蓋の第１セクションは使用中実質的に垂直に設置される。また、好適には第２セクションは使用中上向きの角度に方位付けられ、第２ジョイント間のリンクの方向に向けられる。また、好適には第３セクションの先端部は下向の角度に方位付けられる。
【００４５】
天蓋は好適には折りたたみ可能である。第１セクションは第２セクションに対して折りたたみ可能に構成されうる。また、好適には第２セクションが第３セクションのほうに折りたたまれ、第１セクションは第２セクションと第３セクションの間に挟まれる。好適には天蓋は薄く折りたたまれ、例えばこの折りたたみ体の最大長さ方向に対して垂直方向に測定される最大厚さはこの最大長さの５％未満であるように構成される。
【００４６】
好適には第１セクションのアーム間の間隔は第２セクションのアーム間の間隔よりも狭い。好適にはこの第１セクションは第２セクション間の空間内に収容される。これによって非常に薄い折りたたみ体が実現されうる。好適には第３セクションのアーム間の間隔と第２セクションのアーム間の間隔は同等である。また好適には第２セクションのアームと第３セクションのアームは相互に折り合わせられる。
【００４７】
また、好適には第１セクション及び／又は第２セクション及び／又は第３セクション及び／又は更なるセクションの天蓋素材は同天蓋素材の一部を構成する隣接セクションに連結される。この連結を実現する部分に相当する天蓋素材部分は折りたたみ状態でジョイントの内側及び／又はジョイント柱の側部周りに延在するように配置される。
【００４８】
好適には第２アームに対する第１アームの回転は一定範囲内に制約される。また好適には第３アーム又は更なるアームに対する第２アームの回転は一定範囲内に制約される。また好適には更なるアームに対する第３アームの回転は一定範囲内に制約される。この回転は回転限度に達した際回転するアーム又はジョイントの一部と接触するストップによって制約されうる。なお、この回転限度付近では反対方向に回転するような抵抗が提供されうる。またクリック式ロックを適用することも可能である。また回転に対する抵抗は回転路における１又は複数の中間位置において提供されうる。このような抵抗はラチェット機構によって提供されうる。好適にはこの回転制約は各アーム間のジョイントにおいて提供される。また、好適には第２アームは例えば収納時などの状況に対応する第１アームに対して完全に折りたたまれた状態から完全に展開された状態まで回転可能なように構成される。好適にはこの回転範囲角度は３４０度未満に設定され、より理想的には２７０度未満に設定される。好適には第３及び／又は更なるアームは例えば収納時などの状況に対応する第１アームに対して完全に折りたたまれた状態から完全に展開された状態まで回転可能なように構成される。好適にはこの回転範囲角度は３４０度未満に設定され、より理想的には２７０度未満に設定される。また、好適には第２アームの回転及び／又は第３アーム及び／又は更なるアームの回転は使用中にこれらが座席のほうに倒れこまないように制約される。
【００４９】
なお、２つの第１アームは相互に対して平行に配置されうる。また第２アームも相互平行に配置されうる。また第３アームも相互平行に配置されうる。また更なるアームも相互平行に配置されうる。また第１、第２、第３、及び更なるアームは少なくとも１平面からみて相互平行に配置されうる。
【００５０】
なお、第２構成部は開け閉め可能なクランプによって特に管状の家具用品などに取り付けられうる。好適にはこのクランプはかぐ用品の枠組みの一部に係合される。この枠組みの一部は枠組みの上部など全般的に水平に設置される枠組み部分に相当しうる。また、この枠組み部分は枠組みの側部など全般的に垂直に設置される枠組み部分に相当しうる。なお、好適には第２構成部は回転可能取り付け部材などによってクランプに取り付けられる。この回転可能取り付け部材は第２構成部の開口を通過してクランプに達するピンによって構成されうる。好適にはこのピンはクランプの顎部を係合させる。なお、このピンが１方向に回転されることによってクランプの顎部が動かされて開放状態になる。またこのピンが逆方向に回転されることによってクランプは閉鎖され、更に好ましくはクランプに対する第２構成部の方位を固定する。またクランプに対する第２構成部の方位を固定するために第２構成部とクランプの間及び／又は第２構成部とピンのヘッド部との間でスプライン係合が提供されうる。
【００５１】
また、クランプは相互対向する２つの顎部から構成されうる。好適にはピンはこの顎部間の間隔を調節する。各顎部はクランプされる枠組みを収容するための陥凹部を具備しうる。なお、顎部間のヒンジとしてフレキシブル・ヒンジが適用されうる。
【００５２】
第２構成部は取り付け部材によって家具用品に取り付けられうる。なお、取り付け部材は特に管状の家具用品などの枠組みの一部にスライド形式で取り付けられうる。この取り付け部材は家具用品の枠組みの一部を受け止める貫通孔などの開口を具備しうる。また好適にはこの開口の断面形状は収容部分に対応する家具用品の枠組み部分の断面形状と一致するように構成される。なお、取り付け部材と枠組みとの間には１又は複数の係合が提供されうる。枠組みは取り付け部に具備されるピンなどの素子を受け止めるための１又は複数の開口、溝、又は陥凹部を具備しうる。
【００５３】
なお、好適には同一構成の天蓋はスタック可能に構成される。
【００５４】
また好適には第１アームは第２及び／又は第３及び／又は更なるアームよりも短く構成される。また好適には更なるアームは第２及び／又は第３アームよりも短く構成される。また好適には第３アームは第２アームよりも短く構成される。また好適には第１アーム又は第１ジョイント間のリンク及び／又は第２アーム又は第２ジョイント間のリンク及び／又は第３アーム又は第３ジョイント間のリンクは同一の長さ及び／又は同一設計及び／又は同一寸法に構成される。また好適には少なくとも第２及び第３ジョイントは同一構成を有する。
【００５５】
なお、本発明の第１仕様は本願に記載される上記以外の（例えば本発明の第２仕様で説明される）特徴、オプション又は可能性を導入することが可能である。
【００５６】
本発明の第２仕様としては、天蓋を家具用品に取り付ける方法であって、前記方法は家具用品に固定系の１又は複数の第２構成部を設置し、天蓋を設置する工程を含み、前記天蓋は第１アームを有し、前記第１アームの一端部又はこの付近には前記固定系の第１構成部が具備され、前記第１アームの他方の端部又はこの付近にはジョイントが具備され、前記ジョイントは第２アームに接続され、前記ジョイントは前記第１アームの前記第２アームに対する方位付けを変動可能にし、前記第２アームは第２ジョイントを具備し、前記第２ジョイントは更なるアームに接続され、前記１又は複数のアームは１又は複数のスクリーンを支持し、更に前記固定系の前記第１構成部を前記第２構成部に接続する工程を含む方法を提供する。
【００５７】
この取り付け方法は１つの構成部、好ましくは第１構成部を他方の構成部、好ましくは第２構成部に挿入する工程を含む。片方の構成部をもう片方の構成部に挿入することで１又は複数の支持アームが第１状態から第２状態に変形しうる。この挿入動作を続行することによって例えば片方の構成部が具備する１又は複数のラグ又は突出部がもう片方の構成部が具備する開口又は陥凹部に侵入し、このアーム部は第１条体に戻りうる。
【００５８】
また好適には天蓋を上から家具のほうに動かすことによって天蓋は家具用品に取り付けられうる。この取り付け動作は好ましくは下向垂直方向に沿った動作に相当する。
【００５９】
なお、本発明の第２仕様は本願に記載される上記以外の（例えば本発明の第１仕様で説明される）特徴、オプション又は可能性を導入することが可能である。
【００６０】
本発明の第３仕様としては、家具用品に取り付けられるテーブルであって、支持面及び１又は複数の支持アームを具備するテーブルにおいて、支持アームは支持面を支持し、各支持アームは支持面から離れた端部側において固定系の第１構成部を具備するように構成されるテーブルを提供する。
【００６１】
このテーブルは飲み物及び／又は食べ物及び／又はこのための容器を支持するように構成されうる。
【００６２】
この取り付けは好ましくは２部構成の固定系によって実現される。この２部構成の固定系の第２構成部は好ましくは家具用品に具備される。また好適には第１構成部と第２構成部とが開放可能に係合されて取り付けが実現される。この取り付けは第１構成部を第２構成部に対して第１方位に設定し、第１構成部を第２構成部に対して第２方位に設定することによって実現されうる。この第２方位は第１方位に対して１８０度の方位に相当しうる。好適には第１構成部及び第２構成部の解除／係合はユーザのどちら側の手によっても実現されうる。
【００６３】
この取り付けは家具用品の一方のアームに実現されるか、他方のアームに実現されるか、あるいは両方のアームに同時に実現されることが可能である。この取り付けによってテーブルを座席の上に位置するようにすることが可能である。またこの取り付けによってテーブルを家具アイテムの側部に位置するようにすることが可能である。また取り付け位置は適時変更されることが可能である。
【００６４】
なお、家具用品は椅子、デックチェア、ラウンジチェア、リクライニングチェア、座席、又はリクライニングシートに相当しうる。また家具用品は１又は複数人数を収容しうる。
【００６５】
支持面は平面状に構成されうる。この支持面は完全又は部分的に突起エッジ又はリムによって包囲されることが可能である。この支持面は長方形状に形成されうる。この支持面はテーブルと同一素材から構成されうる。またこのテーブルはたとえばスリップ防止材料などの異なる材料からなる面を具備しうる。
【００６６】
このテーブルは１又は複数の支持アームを具備しうる。これら１又は複数の支持アームは線形に構成される。また好適にはこれら１又は複数の支持アーム同一長さに構成される。また支持アームの長さは調節可能に構成されうる。また好適には１又は複数の支持アームは支持面の下面から延びる。また、好適には１又は複数の支持アームは支持面に対して実質的に垂直方向に延びる。更に好適には１又は複数の支持アームは複数のエッジのうちの一方のエッジよりに配置され、このアームはこのエッジとこれに対向するエッジとの間の距離の１０％未満の位置に配置される。
【００６７】
なお、第１構成部はオス部に相当しうる。また第２構成部はメス部に相当しうる。好適には係合の際第１構成部の本体部は第２構成部内に受け止められる。また好適には係合の際まずこの第１構成部の本体部の先端エッジが第２構成部に挿入される。
【００６８】
また好適には第１構成部の本体部は連続部に接続される。また好適には係合の際この連続部の一部は第２構成部から延長する。また好適には本体部の先端エッジから１又は複数の支持アームが延長する。また好適にはこの１又は複数の支持アームによって隙間が形成される。また好適には各アームはラグ又は突出部を有する。好適にはこのラク又は突出部は第２構成部の一部分と連結する。好適にはアームを隙間内に変形させることによって係合が解除されうる。またアームはその終端部においてグリップ部を具備しうる。また好適には第１構成部の連続部は支持アームに取り付けられる。
【００６９】
第２構成部は好ましくは家具用品に陥凹部を形成する形で実現される。第２構成部は家具用品の上部に陥凹部を形成する形で実現されうる。なお、好適には各第２構成部に対応する第１構成部が設けられる。好適には第２構成部は開口又は陥凹部を具備し、これは第１構成部の１又は複数のアームに設けられるラグや突出部などと連結する。第２構成部は第１構成部の挿入時に第１構成部を第２構成部に誘導し、且つ／又は係合後第２構成部内での第１構成部の位置を制御するための１又は複数の溝、リッジ、又は面を具備しうる。
【００７０】
なお、好適にはテーブルは他の同一構成のテーブルとスタック可能である。また、好適には１又は複数の支持アーム、とりわけ全ての支持アームは折りたたみ可能に構成される。また好適には支持面の下部に対して折りたたまれ、理想的には実地素敵に平坦な構成を実現する。なお、好適には支持アームの長さは折りたたみ状態でこの支持面の範囲内に収められるような長さに設定される。
【００７１】
なお、本発明の第３仕様は本願に記載される上記以外の（特に本発明の第４及び第５仕様で説明される）特徴、オプション又は可能性を導入することが可能である。
【００７２】
本発明の第４仕様としては、家具用品にテーブルを取り付ける方法であって、固定系の第２構成部を家具用品に設置し、テーブルを設置する工程を含む方法で、このテーブルは支持面及び１又は複数の支持アームを具備し、支持アームは支持面を支持し、各支持アームは支持面から離れた端部側において固定系の第１構成部を具備し、更にこの固定系の第１構成部を第２構成部に接続する工程を含むような方法を提供する。
【００７３】
この取り付け方法は１つの構成部、好ましくは第１構成部を他方の構成部、好ましくは第２構成部に挿入する工程を含む。片方の構成部をもう片方の構成部に挿入することで１又は複数の支持アームが第１状態から第２状態に変形しうる。この挿入動作を続行することによって例えば片方の構成部が具備する１又は複数のラグ又は突出部がもう片方の構成部が具備する開口又は陥凹部に侵入し、このアーム部は第１条体に戻りうる。
【００７４】
また好適にはテーブルを上から家具のほうに動かすことによってテーブルは家具用品に取り付けられうる。この取り付け動作は好ましくは下向垂直方向に沿った動作に相当する。
【００７５】
本取り付け方法はテーブルを家具アイテムに対して１以上の方位に設定可能にする方法を提供する。このテーブルは家具アイテムに対して第１方位に設定可能で、ここではテーブルが家具用品の座席部の上を延びる。またこのテーブルは家具アイテムに対して第１方位に設定可能で、ここではテーブルが家具用品の側部に延びる。これら第１及び第２方位はそれぞれテーブルを１８０度異なる角度に取り付けることによって実現されうる。
【００７６】
なお、本発明の第４仕様は本願に記載される上記以外の（例えば本発明の第３及び第５仕様で説明される）特徴、オプション又は可能性を導入することが可能である。
【００７７】
本発明の第５仕様として、飲み物、食べ物などの商品を提供する方法であって、第１地点に位置するテーブルに飲み物又は食べ物を載せて、テーブルを第１地点とは異なる第２地点に動かし、このテーブルを第２地点にある家具に取り付ける工程を含む方法を提供し、ここでこのテーブルは支持面及び１又は複数の支持アームを具備し、支持アームは支持面を支持し、各支持アームは支持面から離れた端部側において固定系の第１構成部を具備し、この固定系の第１構成部は第２構成部に接続される。
【００７８】
第１地点はバーやキッチンなど飲み物や食べ物を供給する中央地点に相当しうる。この第１地点はスタッフ関係者には立ち入りが許容されるが、家具のユーザ自身はここへの立ち入りが禁じられる場合がある。好適にはテーブルは注文された飲み物及び／又は食べ物を載せた状態で第１地点から第２地点に持ち運ばれる。またこのテーブルは好適にはウェイターなどのスタッフによって運ばれる。またこのテーブルは好適にはウェイターなどのスタッフによって家具に取り付けられる。またこのテーブルは家具に対してユーザの要望に応じた方位に取り付けられうる。またユーザが飲み物及び／又は食べ物を飲み終えた／食べ終えた際このテーブルは家具から取り外されることが可能である。この場合テーブルはウェイターやスタッフなどによって取り外されて終わった飲み物及び／又は食べ物をと共に第１地点に戻されることが可能である。
【００７９】
なお本発明の第５仕様は本願に記載される上記以外の（例えば本発明の第３及び第４仕様で説明される）特徴、オプション又は可能性を導入することが可能である。
【００８０】
本発明の第６仕様としては座席として適用される家具であって、固定系の第２構成部を具備する家具を提供する。ここで固定系の第２構成部は座席の肘掛に具備されるか、あるいは座席の背もたれ部分の枠組みに具備されうる。またこの第２構成部はメス部に相当する。
【００８１】
好適にはこの第２構成部は特に本願に記載されるような構成を有する固定系の第１構成部と係合する。この第２構成部は座席に陥凹部を形成する形で実威厳されうる。また、好適には第２構成部は座席の肘掛、座席の側部の枠組み、又は座席の後部の枠組みの上端などに陥凹部を形成することによって構成されうる。なお、この第２構成部は複数も受けられることが可能である。また好適には第２構成部は座席の後部の上端と、座席の肘掛又は座席の側部の枠組みとに設置される。また好適にはこれら各設置位置のそれぞれにおいて２つの第２構成部が具備される。
【００８２】
好適には第２構成部は開口又は陥凹部を具備し、これは第１構成部の１又は複数のアームに設けられるラグや突出部などと連結する。第２構成部は第１構成部の挿入時に第１構成部を第２構成部に誘導し、且つ／又は係合後第２構成部内での第１構成部の位置を制御するための１又は複数の溝、リッジ、又は面を具備しうる。
【００８３】
なお、第２構成部は開け閉め可能なクランプによって特に管状の家具用品などに取り付けられうる。好適にはこのクランプはかぐ用品の枠組みの一部に係合される。この枠組みの一部は座席の後部など枠組みの上部の全般的に水平に設置される部分に相当しうる。また、この枠組み部分は枠組みの側部（座席の背部）など全般的に垂直に設置される枠組み部分に相当しうる。また枠組み部分は座席の側部など枠組みの側部分に相当しうる。なお、好適には第２構成部は回転可能取り付け部材などによってクランプに取り付けられる。この回転可能取り付け部材は第２構成部の開口を通過してクランプに達するピンによって構成されうる。好適にはこのピンはクランプの顎部を係合させる。なお、このピンが１方向に回転されることによってクランプの顎部が動かされて開放状態になる。またこのピンが逆方向に回転されることによってクランプは閉鎖され、更に好ましくはクランプに対する第２構成部の方位を固定する。またクランプに対する第２構成部の方位を固定するために第２構成部とクランプの間及び／又は第２構成部とピンのヘッド部との間でスプライン係合が提供されうる。
【００８４】
また、クランプは相互対向する２つの顎部から構成されうる。好適にはピンはこの顎部間の間隔を調節する。各顎部はクランプされる枠組みを収容するための陥凹部を具備しうる。なお、顎部間のヒンジとしてフレキシブル・ヒンジが適用されうる。
【００８５】
なお、好適には第２構成部は座席に１又は複数のアクセサリを取り付けるために適用され、このアクセサリは固定系の第１構成部を具備する。これらアクセサリは天蓋、テーブル、パラソル、風除け、照明、読書灯、及び／又は虫除けなどに相当しうる。
【００８６】
これら１又は複数のアクセサリは椅子とセットになって提供されうる。このセットは本願中に記載される１又は複数のクランプを含むことが可能である。
【００８７】
好適には本家具は同一構成を有する他の家具とスタック可能に構成される。また好適には上記アクセサリも同一構成の他のアクセサリと一緒にスタック可能に構成される。
【００８８】
なお本発明の第６仕様は本願に記載される上記以外の特徴、オプション又は可能性を導入することが可能である
本発明の第７仕様としては、特に家具に取り付ける天蓋などの製造方法であって、
天蓋の一部を折り返してこの天蓋の別部分と接合し手形成されるアームを受け止めるための袖部を複数有刷る天蓋を提供し、
袖部に固定系の第１構成部及びジョイントを具備する第１アームを挿入し、
袖部に固定系の第２構成部及び第２ジョイントを具備する第２アームを挿入し、この第２アームを前記ジョイントに接続し、前記ジョイントが第１アームと第２アームとの方位付けを変更可能にし、
袖部に更なるアームを挿入して子の更なるアームを第２アームの大ｓジョイントに接続する。
【００８９】
なお、好適には第２アームと第３アームとの間には第３ジョイントに連結する更なるアームが配置されうる。
【００９０】
なお、好適にはこれらアームはそれぞれ対応するジョイントにスライド挿入される。また好適にはこれらアームとジョイントとはそれぞれ別々の構成部からなる。
【００９１】
また、本方法によると、同一のジョイントを用いながら異なる長さの第１アーム及び／又は第２アーム及び／又は更なるアーム及び／又はクロスアームを採用して各種異なる大きさや形状の天蓋が製造されうる。また好適には第１アームは第２及び／又は第３及び／又は更なるアームよりも短く構成される。また好適には更なるアームは第２及び／又は第３アームよりも短く構成される。また好適には第３アームは第２アームよりも短く構成される。また好適には第１アーム又は第１ジョイント間のリンク及び／又は第２アーム又は第２ジョイント間のリンク及び／又は第３アーム又は第３ジョイント間のリンクは同一の長さ及び／又は同一設計及び／又は同一寸法に構成される。
【００９２】
また好適にはジョイントは第１アームから別構成であって、このジョイントは各第１アームの端部にスライド係合によって取り付けられる。また好適には２つの第１アームがそれぞれ対応する袖部内に設置される。好適にはこれらアーム又はジョイントはクロスアームによってリンクされる。そして好適にはこのクロスアームの固定部が取り付けられて絞められる。
【００９３】
なお、１又は複数の袖部は天蓋の部分を他の部分に溶接することによって形成されうる。
【００９４】
なお、本発明の第７仕様は本願に記載される上記以外の特徴、オプション又は可能性を導入することが可能である
本発明の第８仕様としては、固定系の一構成部分を含む取り付け部材であって、前記取り付け部材は第１部分及び第２部分から構成され、前記第１部分と第２部分とは相互に取り外し可能に係合され、前記第１部分と第２部分との間の導管を形成し、前記導管は使用中枠組みを受け止め、前記第１部分は所定位置で前記導管と対面する第１枠組み係合部及び所定位置で前記導管と対面する第２枠組み係合部を有し、前記第１枠組み係合部の所定位置における前記導管の軸は前記第２枠組み係合部の所定位置における導管の軸と異なるように構成される取り付け部材を提供する。
【００９５】
なお、この取り付け部材は金属材料又はプラスチックなどの非金属材料から構成されうる。また、取り付け部材は成形部材から構成されうる。
【００９６】
また、固定系の一部分はメス部に相当しうる。好適にはこのメス部は取り付け部剤の設置対象となるアイテムに具備されるオス部と結合する。このアイテムは好適には天蓋、日除け、日除けスクリーン、かさ、パラソル、雨よけ、又はテーブルなどに相当する。またアイテムはテーブルにも相当しうる。
【００９７】
また好適にはこの固定系の一部分は取り付け部材の陥凹部に具備される。この陥凹部は少なくとも部分的には取り付け部材の第１部分の陥凹部によって形成されうる。
【００９８】
また一実施形態によると、この陥凹部は少なくとも部分的には取り付け部材の第２部分の陥凹部によって形成されうる。また好適には取り付け部材の陥凹部は２つの部分によって構成され、このうちの第１の部分は前記取り付け部材の第１部分における陥凹部によって構成され、第２の部分は前記取り付け部材の第２部分における陥凹部によって構成される。またこの陥凹部の口はキャップによって包囲されることが可能である。好適にはこのキャップは取り付け部材の第２部分と係合する。また好適にはこのキャップは使用中に第１部分と第２部分とが離れないようにこのような動作に対する抵抗を提供する。なお、この固定系の一部分は好適には取り付け部材の第１本体部に設置される。また好適にはこの第１本体部は導管の一側部に配置される。この第１本体部は各側面を形成する平面及びこれらの側面を連結する湾曲面から構成されうる。
【００９９】
また別の実施形態によると、陥凹部は取り付け部材の第１部分だけによって形成されることが可能である。これは特に育児用装備などに適用される取り付け部材など構成に相当しうる。ここでは好適には陥凹部がカップ部によって形成される。なお、好適にはこのカップ部は取り付け部材の第１部分上の平面などに設置される。また好適にはこの陥凹部の口はこの平面と同一平面上にある。また陥凹部の口はキャップによって包囲されることが可能である。なお、好適には陥凹部は導管の一方側に設置される。なお、好適には固定部の第１部に対する固定部の第２部の挿入及び／又は取外し軸は導管における第１枠組み係合部の設置位置の導管軸に対して角度付けられ且つ。導管における第２枠組み係合部の設置位置の導管軸に対して角度付けられる。
【０１００】
なお、好適には第１本体部は取外し可能な固定部の設置位置を１又は複数有する。この固定部はネジやクリップなどに相当しうる。なお、好適にはこのような設置位置が第１本体部に２以上具備され、より好ましくは取り付け部材全体においてこのような設置位置が４つ具備される。なお、育児用装備のための取り付け部材に場合ネジという形をとる取外し可能固定器具が具備されうる。これら取外し可能固定器具は取り付け部材の第１本体部の内部又は表面における窪んだ開口に挿入されうる。
【０１０１】
取り付け部材は第１本体部が設置される導管測部の反対側に設置される第２本体部を具備しうる。この第２本体部は取り付け部材の第１及び第２部分によって形成される。この第２本体部は各側面を形成する平面及びこれらの側面を連結する湾曲面から構成されうる。この第２本体部は特に導管の外周部においては湾曲面を構成する。また好適には第２本体部は取外し可能な固定部の設置位置を１又は複数有する。この固定部はネジやクリップなどに相当しうる。なお、好適にはこのような設置位置が第２本体部に２以上具備される。なお、取外し可能固定器具は取り付け部材の第２本体部の内部又は表面における窪んだ開口に挿入されうる。好適にはこれら取外し可能固定器具は第１本体部上又はこの内部における設置位置と係合する。
【０１０２】
なお、取り付け部材の第１部分は取り付け部材全体の半分を構成しうる。好適にはこの取り付け部材の第１部分は少なくとも第１本体部、導管、又は導管を形成するセクション及び第２本体部を部分的に含む。
【０１０３】
なお、取り付け部材の第２部分は取り付け部材全体の半分を構成しうる。好適にはこの取り付け部材の第１部分は少なくとも第１本体部、導管、又は導管を形成するセクション及び第２本体部を部分的に含む。
【０１０４】
なお、取り付け部材の第２部分は第１部分と対称的に形成されうる。また湾曲面は好適には第１部分と第２部分との平滑な接合を実現する。
【０１０５】
なお、導管は連続導管を構成しうる。なお、導管はその各端部においてのみ枠組みを通すための開口を有するように構成されうる。また導管はその即部において１又は複数の開口を具備しうる。また導管は第１枠組み係合部及び第２枠組み係合部のみか構成されうる。また導管は本体セクションによって形成されうる。このセクションは第１本体部と第２本体部とを連結する。なお、本体セクションは接合面によって第１及び／又は第２本体部に連結されうる。この本体セクション導管が連続する場合一貫した内部形状及び／又は断面形状を有する。またこの本体セクションは、導管が非連続的であって、チャンバーなどを構成する場合は変容する内部形状及び／又は断面形状を有しうる。
【０１０６】
特に前記第１枠組み係合部と前記第２枠組み係合部との間において前記導管又は本体セクションはチャンバーという形で開口部を形成しうる。この開口部は前記枠組みの第１線形素子と第２線形素子とを連結するリンク素子として各種異なる湾曲形状又は湾曲直径を有するリンク素子を収容可能に構成されうる。またこの開口は本体セクション及び／又は本体部によって包囲され、開口部は導管の端部においてのみ形成されるようにすることも可能である。
【０１０７】
なお、枠組みは特に円形断面の管状の枠組みに相当しうる。この枠組みは金属製であってよい。取り付け部材は枠組みの上部における角に設置されることが可能である。また取り付け部材は好適には線形である第１素子と、好適には線形の第２素子と、これらを連結する湾曲素子とにから構成される枠組みの箇所に設置されうる。なお、好適には取り付け部材は枠組みを変形／変更することなくこの枠組みに設置される。
【０１０８】
なお、第１部分の第１枠組み係合部は第１部分の第２枠組み係合部から離間されるかあるいはこれに連結されることが可能である。第１部分の第１枠組み係合部の形状は係合対象の枠組みの素子の形状と一致するように構成されうる。この形状は半円柱以下に形成されうる。またこの形状は半円以下形成され、その長さにわたって湾曲するように形成されうる。また、第１部分の第１枠組み係合部は導管の端部又はこの周辺に設置されうる。
【０１０９】
また、第２部分の前記第１枠組み係合部は第２部分の第２枠組み係合部から離間されるかあるいはこれに連結されることが可能である。また好適には第２部分の前記第１枠組み係合部の形状は係合対象の素子の形状に一致するように構成される。この形状は半円柱以下に形成されうる。またこの形状は半円以下形成され、その長さにわたって湾曲するように形成されうる。また、第２部分の第１枠組み係合部は導管の端部又はこの周辺に設置されうる。
【０１１０】
なお、第１部分の前記第２枠組み係合部の形状は係合対象の枠組みの素子の形状と一致するように構成されうる。この形状は半円柱以下に形成されうる。またこの形状は半円以下形成され、その長さにわたって湾曲するように形成されうる。また、第１部分の第２枠組み係合部は導管の端部又はこの周辺に設置され、好適には第１係合部の反対側に設置される。
【０１１１】
なお、第２部分の前記第２枠組み係合部の形状は係合対象の枠組みの素子の形状と一致するように構成されうる。この形状は半円柱以下に形成されうる。またこの形状は半円以下形成され、その長さにわたって湾曲するように形成されうる。また、第２部分の第２枠組み係合部は導管の端部又はこの周辺に設置され、好適には第１係合部の反対側に設置される。
【０１１２】
なお、第１及び第２枠組み係合部は例えば導管を形成する連続面として一体的に構成されうる。
【０１１３】
また、第１及び／又は第２枠組み係合部は取り付け部材及び／又は第１部分及び／又は第２部分と一体的構成されうる。また第１及び／又は第２枠組み係合部は取り付け部材及び／又は第１部分及び／又は第２部分とは別構成にされうる。特に第１及び／又は第２枠組み係合部の少なくとも一部としてとしてゴムパッドなどの順応性材料からなる素子を１又は複数適用することが可能である。この順応性材料は使用中第１部分と枠組みとの間及び／又は第２部分と枠組みとの間に設置されうる。また、この順応性材料は導管全体にわたって設置されうる。また順応性材料は導管の端部の一方又は両方に隣接するように設置されうる。好適には導管の端部は使用中枠組みと取り付け部材との間を封止する。この封止はこの順応性材料によって実現されうる。なお、取り付け部材と共に１又は複数の種類、大きさ、又は厚さの順応性材料が提供されうる。このようにして異なる大きさの枠組みが適正且つ効果的にグリップされうる。
【０１１４】
なお、第１枠組み係合部の位置における導管の軸及び／又は第２枠組み係合部の位置における導管の軸はその点における軸の投射に相対しうる。これは特に導管の軸はその各部分において湾曲を描くからである。
【０１１５】
なお、好ましくは、各第１枠組み係合部の位置における前記導管は共に同一の軸を有し、各第２枠組み係合部の位置における前記導管はともに同一の軸を有する。なお、好適には、１つ又は両方の第１枠組み係合部の軸は１つ又は両方の第２枠組み係合部の軸と３０度以上異なる。なお、より好適にはこの方位の違いは４５度以上であり、より好ましくは６０°以上であり、更に好ましくは７５°以上であり、理想的には８５°から９５°の範囲内にある。なお、第１枠組み係合部の軸は第２枠組み係合部から最も離れた第１枠組み係合部設置位置における軸に相当する。また、第２枠組み係合部の軸は第１枠組み係合部から最も離れた第２枠組み係合部設置位置における軸に相当する。
【０１１６】
なお、好適には使用中１方又は両方の第１枠組み係合部が枠組みの第１線形素子に係合する。また、好適には使用中１方又は両方の第２枠組み係合部が枠組みの第２線形素子に係合する。また好適には第１素子及び第２素子はそれぞれ軸を有する。これらの各軸は相互に対して３０°以上傾斜する。この方位の差は好ましくは４５°以上であり、より好適には６０°以上であり、更に好適には７５°以上であり、理想的には８５°から９５°の範囲内にある。
【０１１７】
なお、本発明の第８仕様は本願に記載される上記以外の特徴、オプション、可能性を導入することもできる。
【０１１８】
本発明の第９仕様としては、固定系の一部分を含む取り付け部材であって、前記取り付け部材は第１部分及び第２部分から構成され、前記第１及び第２部分は相互に取り外し可能に枠組みの周りに係合し、前記枠組みは前記取り付け部材の第１及び第２部分によって形成される導管内に受け止められ、各第１及び第２部分はそれぞれ前記導管の一端部又はこの付近において前記導管内に第１枠組み係合部を具備し、前記導管の他方の端部又はこの付近において前記導管内に第２枠組み係合部を具備し、前記第１枠組み係合部は相互に対向し、前記第２枠組み係合部は相互に対向し、前記一端部における前記導管の軸は前記他方の端部における前記導管の軸に対して７５度以上の角度を形成する取り付け部材を提供する。
【０１１９】
なお、本発明の第９仕様は本願に記載される上記以外の特徴、オプション、可能性を導入することもできる。
【０１２０】
本発明の第１０仕様としては、陥凹部に具備される固定系のメス部を含む取り付け部材であって、前記取り付け部材は第１部分及び第２部分から構成され、前記第１部分は第１本体部、導管形成部、及び第２本体部を含み、第２部分は第１本体部、導管形成部、及び第２本体部を含み、前記第１部分と前記第２部分とは実施知的に相互対称的に構成され、前記第１及び第２部分によって形成される前記導管は使用中家具用品の枠組みの一部を包囲し、前記導管は前記枠組み第１線形素子の少なくとも一部分、前記枠組みの湾曲素子、及び前記枠組みの第２線形素子の少なくとも一部分を受け止めるように構成される取り付け部材を提供する。
【０１２１】
なお、本発明の第１０仕様は本願に記載される上記以外の特徴、オプション、可能性を導入することもできる。
【０１２２】
本発明の第１０仕様としては、固定系の一部分を含む取り付け部材を枠組みに取り付ける方法であって、
前記取り付け部材の第１部分を前記枠組みの一端部に設置し、前記枠組みが部分的に前記第１部分によって形成される導管内に受け止められるようにし、
前記取り付け部材の第２部分を前記枠組みの他方の端部に設置し、前記枠組みが部分的に前記第２部分によって形成される導管内に受け止められるようにし、
１又は複数の固定器具を用いて前記取り付け部材の前記第１及び第２部分を結合させて、これら部分間に位置する枠組みを前記導管内に収容されるようにし、前記第１及び第２部分の各第１枠組み係合部と、前記第１及び第２部分の各第２枠組み係合部とが前記枠組みに係合するようにする工程を含み、
前記導管の一端部又はこの付近における前記枠組みの軸は前記導管の他方の端部又はこの付近における前記枠組みの軸とは異なる角度に方位付けられるような方法を提供する。
【０１２３】
この方法は更に前記固定系のもう一部分を具備する天蓋、日除け、又はサンシェードを前記取り付け部材に含まれる固定系の前記一部分を用いて前記取り付け部材に取り付ける工程を含むことが可能である。
【０１２４】
なお、この方法は更に１又は複数の他の設置位置において１又は複数の更なる取り付け部材を設置する工程を含むことが可能である。これら他の設置位置は枠組みの角部とりわけ上部角部に相当しうる。
【０１２５】
また枠組みは特に椅子やラウンジチェアなどの家具に相当しうる。この枠組みは特に金属製の管状断面の枠組みなどに相当しうる。
【０１２６】
なお、本発明の第１１仕様は本願に記載される上記以外の特徴、オプション、可能性を導入することもできる。
【０１２７】
本発明の第１２仕様としては、固定系の一部分を含む取り付け部材であって、
第１素子、第２素子、及び更なる素子を有し、
前記第１素子は第１アイテム接触面及び第１アイテム係合面を有し、前記第１アイテム係合面の少なくとも一部分は第１アイテム接触面と反対方向に面し、
前記第２素子は第２アイテム接触面及び第２アイテム係合面を有し、前記第２アイテム係合面の少なくとも一部分は第２アイテム接触面と反対方向に面し、
前記更なる素子は更なるアイテム接触面を有し、
前記第１、第２、及び更なるアイテム接触面は相互対して方位付けられるように行為制される取り付け部材を提供する。
【０１２８】
なお、好適には第１アイテム係合面は第１アイテム係合部上に具備される。また、好適には第２アイテム係合面は第２アイテム係合部上に具備される。また、好適には第１及び／又は第２アイテム係合部は少なくとも部分的には更なるアイテム接触面に対面する。
【０１２９】
本発明の第１３仕様としては、固定系の一部分を含む取り付け部材であって、
第１素子、第２素子、及び更なる素子を有し、前記更なる素子は更なるアイテム接触面を有し、
前記第１素子は第１アイテム接触面及び第１アイテム係合面を有し、前記第１アイテム係合面の少なくとも一部分は第１アイテム接触面に対面し、
前記第２素子は第２アイテム接触面及び第２アイテム係合面を有し、前記第２アイテム係合面の少なくとも一部分は第２アイテム接触面に対面し、
前記第１、第２、及び更なるアイテム接触面は相互対して方位付けられるように行為制される取り付け部材を提供する
ここで好適には、第１アイテム係合面は第１アイテム係合部上に具備される。また、好適には第２アイテム係合面は第２アイテム係合部上に具備される。
【０１３０】
なお、本発明の第１２及び／又は第１３仕様は本願に記載される上記以外の特徴、オプション、可能性を導入することもできる。
【０１３１】
なお、好適には取り付け部材はプラスチック製である。また、取り付け部材は成形部材に相当しうる。また、好適には取り付け部材は単一の一体構成部材に相当しうる。また、好適には取り付け部材は単一成形部材から構成される。
【０１３２】
また、取り付け部材はアイテムのための取り付け部材であって、このアイテムは椅子、陸ラインイングチェア、ラウンジチェア、リクライニングラウンジ、又はその他の家具に相当しうる。なお、この取り付け部材は特にアイテムの後部取り付け用であってとりわけその角部に取り付けられるものに相当しうる。
【０１３３】
なお、固定系の一部分はメス部を構成しうる。好適にはこのメス部は取り付け部剤の設置対象となるアイテムに具備されるオス部と結合する。このアイテムは好適には天蓋、日除け、日除けスクリーン、かさ、パラソル、雨よけ、又はテーブルなどに相当する。またアイテムはテーブルにも相当しうる。
【０１３４】
また好適にはこの固定系の一部分は取り付け部材の陥凹部に具備される。この陥凹部は１又は複数の壁部によって構成されうる。なお固定系の一部分は少なくとも部分的に第１素子上に具備されうる。この固定系の一部分は第１素子における第１アイテム接触面の設置位置とは反対側に設置されうる。また固定系の一部分は少なくとも部分的には第１素子と第２素子とを連結する第３素子に設置されうる。
【０１３５】
また好適には陥凹部を構成する１又は複数の壁部は、固定系の第１及び第２部分が結合される方向に対応する断面を有し、これは上記方向からみて取り付け部材の範囲内にある。陥凹部は第１平面壁と、これに対向する第２平面壁と、これらを連結する半円終端壁によって形成されうる。また、１又は複数の壁部は第１及び／又は第３素子に対して直立するように設定されうる。なお、１又は複数の壁部と第１及び／又は第３素子との間には絞め部材が設置されうる。なお、好適には２つの湾曲絞め具部材が相互上下に配置されうる。これら絞め具部材の一方は第１素子に対応してその上面において１又は複数の壁部と連結しうる。
【０１３６】
なお、第３素子は少なくとも使用中のアイテムに対向する面に対して湾曲形状を構成しうる。このアイテムに対向する面はアイテム接触面の相当しうる。好適には第３素子のアイテム接触面はアイテムの形状と一致する。
【０１３７】
なお、第１素子は実質的に平面状に構成されうる。またこの第１素子は湾曲しうる。またこの第１素子は使用中略水平に配置される。また好適には固定系の一部分を具備する第１素子の上面の構成とその下部の構成とは相互対応する。
【０１３８】
また第１素子は前記固定系の一部分が設置される側の反対側に第１アイテム接触面を具備しうる。なお、この第１アイテム接触面は更なる素子と第１アイテム係合部との間に配置されうる。また第１素子は第１アイテム接触面を有し、同接触面の形状は前記アイテムの適用箇所における外面形状と一致するように構成されうる。
【０１３９】
なお、第１アイテム接触部は平滑に形成されうる。また第１アイテム接触面と第１アイテム係合部／面及び／又は更なる素子との間には湾曲変遷面が配置されうる。
【０１４０】
なお、好適には第１アイテム係合部／面、前記第１アイテム接触面、及び更なる素子の間に形成される開口部の断面はアイテムのその位置における断面、特にアイテムの壁素子の断面と一致する。
【０１４１】
また第１アイテム係合部は第１素子からの突出部から構成されうる。この突出部は第１接触面に対して実質的に９０度の方向に突出しうる。この第１アイテム係合部は更なる素子に対面し且つ／又は第１接触面に隣接する第１アイテム接触面を具備しうる。
【０１４２】
また、第１アイテム係合面は第１接触面に対面する１又は複数の部分を有することが可能である。使用状態では、このような１又は複数の部分はアイテムのエッジ部と係合し、且つ好ましくは同接触面の反体方向に面するアイテムの面の少なくとも一部分と係合する。なお、第１アイテム係合面はその係合対象のアイテムのエッジの形状に対応するように構成される１又は複数の部分を具備しうる。特に第１アイテム係合面の一部としてアーチ面を設けることが可能である。
【０１４３】
なお、第１アイテム係合部の少なくとも一部分及び／又は前記第１アイテム係合面は変形可能である。好適には第１正常状態が提供され、第２変形状態が提供される。なお、好適には第１アイテム係合部／面は取り付けを可能にするために前記第２変形状態に設定され、前記第１アイテム係合部／面は取り付けられると前記第１正常状態に戻るあるいは設定される。
【０１４４】
第１素子は連続第１アイテム係合面を具備しうる。なお、第１アイテム係合面はいくつかの別々のセクションから構成されうる。また第１素子は連続第１アイテム接触部を具備しうる。また第１アイテム接触部はいくつかの別々のセクションから構成されることが可能である。
【０１４５】
なお、第２素子は実質的に平面状に構成されうる。またこの第２素子は湾曲しうる。またこの第２素子は使用中略垂直に配置される。また好適には第２素子の外面と内面とは相互対応する。
【０１４６】
また第２素子はその内部において第２アイテム接触面を具備しうる。なお、この第２アイテム接触面は更なる素子と第２アイテム係合部との間に配置されうる。また第２素子は第２アイテム接触面を有し、同接触面の形状は前記アイテムの適用箇所における外面形状と一致するように構成されうる。
【０１４７】
なお、第２アイテム接触部は平滑に形成されうる。また第２アイテム接触面と第２アイテム係合部／面及び／又は更なる素子との間には湾曲変遷面が配置されうる。
【０１４８】
なお、好適には第２アイテム係合部／面、前記第１アイテム接触面、及び更なる素子の間に形成される開口部の断面はアイテムのその位置における断面、特にアイテムの壁素子の断面と一致する。
【０１４９】
また第２アイテム係合部は第２素子からの突出部から構成されうる。この突出部は第２接触面に対して実質的に９０度の方向に突出しうる。この第２アイテム係合部は更なる素子に対面し且つ／又は第２接触面に隣接する第１アイテム接触面を具備しうる。
【０１５０】
また、第２アイテム係合面は第２接触面に対面する１又は複数の部分を有することが可能である。使用状態では、このような１又は複数の部分はアイテムのエッジ部と係合し、且つ好ましくは同接触面の反体方向に面するアイテムの面の少なくとも一部分と係合する。なお、第２アイテム係合面はその係合対象のアイテムのエッジの形状に対応するように構成される１又は複数の部分を具備しうる。特に第１アイテム係合面の一部としてアーチ面を設けることが可能である。
【０１５１】
なお、第２アイテム係合部の少なくとも一部分及び／又は前記第２アイテム係合面は変形可能である。好適には第１正常状態が提供され、第２変形状態が提供される。なお、好適には第２アイテム係合部／面は取り付けを可能にするために前記第２変形状態に設定され、前記第２アイテム係合部／面は取り付けられると前記第１正常状態に戻るあるいは設定される。
【０１５２】
第１素子は連続第２アイテム係合面を具備しうる。なお、第２アイテム係合面はいくつかの別々のセクションから構成されうる。また第２素子は連続第１アイテム接触部を具備しうる。また第２アイテム接触部はいくつかの別々のセクションから構成されうる。
【０１５３】
なお、使用状態において第１及び／又は第２アイテム係合部／面はアイテムの少なくとも一部を包囲するように構成されうる。
【０１５４】
なお、前記第１アイテム係合部又は第２アイテム係合部のうちの１つはそれぞれの素子及び／又はアイテム接触面に対面する壁を有し、前記壁はその素子からの突出部上に具備されうる。この壁の終端部は平坦内面、平坦外面及び平坦終端面によってのみ形成されうる。好適には第１又は第２アイテム接触面のうちのいずれか一方がこの構成を有する。好適には第１又は第２アイテム接触面のうちの他方は異なる構成を有する。この異なる構成は壁の外面と平坦終端面との間に傾斜面などの変遷面を具備しうる。この壁はその終端のほうにテーパ状なり、このテーパ現象は好適には壁の外面において起きる。
【０１５５】
また更なる素子は実質的に平面状に構成されうる。またこの更なる素子は１又は複数の湾曲部を有しうる。またこの更なる素子は使用中略垂直に配置される。また好適には更なる素子の外面と内面とは相互対応する。
【０１５６】
また更なる素子はその内部において更なるアイテム接触面を具備しうる。なお、この更なるアイテム接触面は第１素子と第２アイテム係合部との間に配置されうる。また更なる素子は更なる接触面を有し、同接触面の形状は前記アイテムの適用箇所における外面形状と一致するように構成され、特にユーザがもたれるための家具アイテムの背もたれなどの形状に一致するように構成されうる。また、更なる接触面は第１アイテム係合部／面の少なくとも一部と、第２アイテム係合部／面の少なくとも一部と対面する。
【０１５７】
なお、更なる接触部は平滑に形成されうる。また更なるアイテム接触面と第１及び／又は第２接触面との間には湾曲変遷面が配置されうる。
【０１５８】
また更なる素子は前記第１素子と前記第２素子とを連結しうる。好適には第１、第２、及び更なる素子は角形状取り付け部材を構成する。またこの角形状取り付け部材は第３素子を具備しうる。そして好適には第３素子と他の素子との間には湾曲変遷面が設置される。
【０１５９】
また更なる素子は１又は複数の開口を有しうる。好適には更なる素子は各第１アイテム接触部及び／又は突出部に対して１以上の開口を具備する。好適にはこの１以上の開口は更なる素子における第１アイテム係合部に最も近い部分に設置される。また好適には更なる素子は各第２アイテム接触部及び／又は突出部に対して１以上の開口を具備する。好適にはこの１以上の開口は更なる素子における第２アイテム係合部に最も近い部分に設置される。
【０１６０】
この第１及び／又は第２及び／又は更なる素子は相互に対して７０度から１１０度の角度に方位付けられる。好適にはこの更なる素子と第１及び／又は第２素子との間の角度は８５度から９５度である。なお第１及び第２アイテム係合部又は面は第１方向について相互に対して７０度から１１０度に方位付けられうる。また第１及び第２アイテム係合部又は面は第２方向について平行に配置されうる。
【０１６１】
また別の実施形態によると、第１及び／又は第２アイテム係合部／面は取り付け部材の他の部分とは別の構成部から構成されうる。好適にはこの別構成部は成形部材として提供される。また好適にはこの別構成部はプラスチック製である。好適にはこの別構成部はプレートとして構成されうる。この別構成部は固定器具のための貫通孔を１又は複数具備しうる。好適にはこの別構成部は使用状態において１又は複数の取外し可能固定器具によって取り付け部材に取り付けられる。これら固定器具はネジに相当しうる。これら固定器具はこの別構成部と取り付け部材とをアイテムを貫通することなく係合しうる。なお固定器具は第１素子及び／又は第２素子と係合しうる。好適にはこの別構成部の少なくとも一部分は対応素子、とりわけその接触面に対面するように配置される。また好適にはこの別構成部はこれ自身と接触面との間にアイテムをクランプする。
【０１６２】
本発明の第１４仕様としては、固定系の一部分を含む取り付け部材を好ましくは家具などのアイテムに取り付ける方法であって、
取り付け部材を設置する工程を含み、前記取り付け部材は
第１素子、第２素子、及び更なる素子を有し、
前記第１素子は第１アイテム接触面及び第１アイテム係合面を有し、前記第１アイテム係合面の少なくとも一部分は第１アイテム接触面と反対方向に面し、
前記第２素子は第２アイテム接触面及び第２アイテム係合面を有し、前記第２アイテム係合面の少なくとも一部分は第２アイテム接触面と反対方向に面し、
前記更なる素子は更なるアイテム接触面を有し、
前記第１、第２、及び更なるアイテム接触面は相互に対して方位付けられ、前記方法は更に
前記第１及び第２アイテム係合部及び／又は第１及び第２アイテム係合面の少なくとも一部分を第１正常状態から第２変形状態に変形させて、
前記取り付け部材を取り付け位置に設置し、前記第１及び第２アイテム係合部／面を第１正常状態に戻す工程を含む方法を提供する。
【０１６３】
なお、前記第１正常状態から前記第２変形状態への変更は前記第１及び第２アイテム係合面／部においてそれぞれ別々に実現されうる。この変形は取り付け部材をアイテムに押し付けることのよって実現される。
【０１６４】
また好適にはこの方法は更に固定系の他方の構成部を具備する天蓋、スクリーン、日除けなどを取り付け部材における固定系の一部分を用いて取り付け部材に設置する工程を含む。
【０１６５】
なお、この方法は更に１又は複数の他の設置位置において１又は複数の更なる取り付け部材を設置する工程を含むことが可能である。これら他の設置位置は枠組みの角部とりわけ上部角部に相当しうる。
【０１６６】
また枠組みは特に椅子やラウンジチェアなどの家具に相当しうる。またこのアイテムはプラスチック成形アイテムに相当しうる。
【０１６７】
また、好適には第１又は第２アイテム係合部の一方のみが変形される。好適には第１又は第２アイテム係合部の他方はスライド動作によって枠組みに取り付けられる。好適にはこの他方の係合部は変形によって係合される係合部が係合される前に係合される。好適にはこのスライド動作によって第２アイテム係合部の係合が実現される。また好適には第１アイテム係合部の係合歯変形によって実現される。また好適にはこのスライド動作によって枠組みの一部がアイテム係合部とアイテム接触面との間に位置づけられる。
【０１６８】
この取り付け部材は枠組み３から取外し可能に構成されうる。好適にはこの取り付け部材は取り付け部材に設置されたアイテムが取り外された後に取り外される。好適にはこの取り付け部材を枠組みの周り、とりわけそのエッジ部の周りにてスライドさせることによってこの取り付け部材は取り外される。この動作は第１又は第２アイテム係合部のいずれか一方を他方の位置に付勢する効果をもたらしうる。この動作は回転動作を含みうる。
【０１６９】
なお、本発明の第１４仕様は本願に記載される上記以外の特徴、オプション、又は可能性を導入することもできる。
【発明を実施するための最良の形態】
【０１７０】
家具には様々な設計があり、レクリエーション家具にも様々な形態のものが存在する。当発明者はこのような家具のためのアクセサリを開発することでこれらの家具の多目的性の向上を図った。その結果当発明者はこれらの家具に好適に適用されうるアクセサリ用の固定系を開発することを試みた。このような固定系は既存の構成に適用されることが可能であり、また、新たに設計される構成に組む込まれることも可能である。ここではこのような固定系及びアクセサリが家具の製造者などによって制約されることはなく様々な設計構成を有する家具に取り付け可能であるように設計されることが重要である。これは固定系や家具の設計の連係や標準化を行うことなくアクセサリを様々な設計を有する家具に取り付け可能にするための重要な点である。これと同時に当発明者は必要に応じて家具から容易に取り付け／取り外しが可能なアクセサリの取り付け技術を提供することを試みた。これは特にリゾートホテルやクルーズ船などにおいて、毎日多数の家具が取り出されて再びしまわれる必要がある場合において重要である。この場合アクセサリの取り付け／取り外しが容易でなければ同アクセサリの取り付けは有効とならない。
【０１７１】
上記取り付け技術に加えて当発明者は特に設計上の理由から好適に適用されうる新たな家具用アクセサリを提供することを試みた。このようなアクセサリとしては、位置調整が可能であって、有効な日除け特性を有するが通気性を有し風に対する抵抗による悪影響を低減可能である天蓋などが含まれる。また別のアクセサリ例としては、様々な位置で適用可能であって尚且つ家具及びそのユーザに提供するものなどを運ぶためのトレーとしても適用されうるテーブルなどが含まれる。
【０１７２】
図１の実施例ではラウンジチェア６に取り付けられる２つのアクセサリ、すなわちテーブル２及び天蓋４が示される。なお、これらのアクセサリは同図に示される状態で実際に適用されうる。
【０１７３】
テーブル２は水平支持面１０、及びこの水平支持面１０に固定されここから下に延びる１対の支持アーム１２を有する。なお、支持アーム１２の対は水平支持面１０の片側１４のほうによった位置に取り付けられる。各支持アーム１２はそれぞれの端部において固定系の第１構成部１６を有する。固定系の各第１構成部１６の一部はそれぞれ肘掛２０の上面に配置される第２構成部によって受け止められる。こうしてテーブル２の取り付けが実現される。なお、第２構成部は窪んだ構成とされ、外観的観点からその終端は肘掛２０と同一平面をなすように構成される。
【０１７４】
テーブル２の片側１４によった位置に支持アーム１２を配置し、裏返し可能な固定系を適用することによってテーブル２自体を裏返し可能に構成することが可能である。よってテーブル２はラウンジチェア６の側部によけられた形で配置されることが可能であり、また図示されるようにラウンジチェア６の座部２２の上を延びてラウンジチェア６に座るユーザの膝上に配置されることも可能である。なお、第１構成部が何れの手でも動作可能であり、第１構成部がその動作において手を用いないことによって柔軟に動く固定系が実現されうる。なお、固定系における第１構成部と第２構成部との係合についての詳細は後述する。
【０１７５】
テーブル２は例えば１日の始まりにラウンジチェア６が組み立てられる際にそこに取り付けられうる。そしてこの１日においてテーブル２の位置はユーザのニーズに応じて変更されうる。また別の例として、テーブル２はラウンジチェア６のユーザが飲み物などのアイテムを要求した際など、テーブル２が必要とされたときに要求されたアイテムと共にラウンジチェア６に運ばれて、ここに取り付けられることが可能である。そして（飲み）終わったアイテムはそれだけ下げられるか、あるいはテーブル２と共に下げられることが可能である。また、ラウンジチェア６に運びこむアイテムに応じて様々な構成のテーブルを適用することも可能である。例えば飲み物などの小さなアイテムは図１に示されるような小さなテーブルで運ばれてくるが、食事などは例えばラウンジチェア６の一方の肘掛から他方の肘掛まで延びるより大きなテーブル（非図示）で持ち運ばれることが可能である。このようなテーブルは例えばその両側から肘掛２０に係合するアーム１２を介してラウンジチェア６に取り付けられることが可能である。このようにして重いアイテムを載せる場合における所望の位置でのテーブルの支持が実現されうる。
【０１７６】
なお、図１に示される他方のアクセサリは日影を提供するための天蓋４である。この天蓋４はその一端において１対のアーム３２を具備し、各アーム３２の端部はそれぞれ固定系の第１構成部を具備する。この固定系の各第１構成部３４の一部はそれぞれ第２構成部３６において受け止められ、これによって取り付けが実現される。
【０１７７】
本実施例は特に新たに製造された製品への導入のためのものであって、ここで第２構成部３６はラウンジチェア６の上端４０を形成するフレーム３８において窪んだ構成となる。本実施例のもっとも単純な構成によると、アーム３２は第１構成部３４の第２構成部３６に対する挿入／取り外し軸の方向に沿って同第１構成部３４から延びて天蓋４を支持する。よって２つのアーム３２によって形成される平面４２はラウンジチェア６の背部４４と凡そ同一平面をなす。なお、アーム３２の他方の端部には後述するラチェットジョイント４６などの調整可能ジョイントが設置される。
【０１７８】
各ジョイント４６からは第２アーム４８が延びていて、これら第２アーム４８はラチェットジョイント５０などの第２調整可能ジョイントによって終端する。また各ラチェットジョイント５０からは更にアーム５２が延びこれらはその先端部においてアーム５４によってリンクされる。第２アーム４８は天蓋素材５６を支持し、アーム５２及びリンクアーム５４は天蓋素材５８を支持する。
【０１７９】
なお、天蓋素材５６及び５８は単一の素材であってもよい。また、アーム３２間に更なる天蓋素材を設けることも可能であり、この天蓋素材は天蓋素材５６、さらには天蓋素材５８に連続する構成であってもよい。また、アーム３２間は風通しを提供するために開放された状態にすることも可能である。また、アーム３２間にいくつかの垂れ蓋状の素材を設けることによって日除けと風通しとの折衷を実現することも可能である。この天蓋素材は例えばアームの下で素材をループさせてアームの反対側における天蓋素材にこれを付着させることによってアームを覆うことができる。
【０１８０】
また、別の構成例によると、第２ジョイント５０は天蓋の先端側に対してアーク形状を形成してその両端がジョイント５０と結合するようなて１つの支持アームに結合することも可能である。
【０１８１】
なお、図２ａ及び２ｂに示される天蓋４は３つの主要部Ａ，Ｂ，Ｃから構成される。この天蓋４を収納又は持ち運ぶ際、部分Ａは部分Ｂに対面するように折りたたまれ次に部分Ｂが部分Ｃに折りたたまれて部分Ａが部分Ｂと部分Ｃとの間に挟まれた状態にすることが可能である。天蓋４をこのように折りたたむことによって天蓋４が占領する空間を最小限にとどめることが可能である。ここでは安全装備を適用した状態でこのような天蓋４の折りたたみを実現することが可能である。すなわち図２ａにおいて、部分Ａは部分Ｂに対して第１ジョイントを軸に反時計回り方向に２７０度回転可能に構成されうる。この第１ジョイントにはこの角度範囲を超える回転を阻止するためのストップが設置されうる。これによってユーザが第１ジョイントを不注意に緩めることによって天蓋４がユーザに倒れ掛かることを防止する。また、部分Ｃを部分Ｂに対して第２ジョイントを軸に時計回り方向に２７０度回転可能に構成されうる。ここでも更なる回転を阻止するために第２ジョイントにストップが設置されうる。これによって第２ジョイントが不注意に緩められた際に天蓋の先端がユーザにぶつかる危険性を防止できる。
【０１８２】
天蓋４が使用される状態では、部分Ａは通常ラウンジチェア６に対して固定された位置に配置される（図２ｂ参照）。その他の部分Ｂ及びＣは相互間及びラウンジチェア６に対して買うクドが変更されうるように構成される。通常部分Ｂは上向きに方位付けられて、天蓋４の高さ及び空間を提供する。一方部分Ｃは下向に方位付けられてユーザの上半身に日陰を提供する。なお、上記部分及びアームの長さ（特に部分Ａの長さ）は伸縮動作によって変更可能に構成されうる。ジョイントにおけるストップにより、部分Ｂは図示される位置から時計回り方向にさほど回転できないように制御され、また部分Ｃがユーザ接近し過ぎた位置まで回転することがないように制御される。
【０１８３】
また、好適な実施形態によると、天蓋は図２ａ及び２ｂの実施例と同様に折りたたまれる。そして図１４に示されるように固定部材を有するアームＡは部分Ｂ上、より好適には部分Ｂの間に折りたたまれる。そして部分Ｃはこの折りたたみ構成の更に上に折りたたまれ、より好適にはこの間に折りたたまれる。よって極力薄型な折りたたみ構成が実現され、購入前後の収納及び持ち運び時に場所をとらない構成が実現されうる。なお、面８０は天蓋４使用中の部分Ｂの下面に相当する。面８２は天蓋４使用中の部分Ｃの下面に相当する。また、面８４は天蓋４使用中の部分Ａの背面に相当する。
【０１８４】
ここで部分Ａ間の間隔は部分Ｂ間の間隔よりも小さく設計される。よって部分Ａは部分Ｂ間に形成される空間内に折りたたまれ、より高さの低い折りたたみ構成が実現されうる。また、部分Ｃ間の間隔と部分Ｂ間の間隔とは同等であるため、部分Ｃが部分Ｂに折りたたまれる際に部分Ｃが部分Ｂと一致するように部分Ｂとジョイント８６との接合はオフセットされる。図１４は部分Ａの位置を示すためにこの折りたたみ構成が若干開放された状態を示す。
【０１８５】
また重要な点として、部分Ａ，Ｂ及びＣに設置される２つの部分Ａ、２つの部分Ｂ、及び２つの部分Ｃ間にわたって延びて天蓋を形成する素材は相互につなぎ合わされて単一構成の天蓋カバーを形成する。天蓋カバーのアームへの設置はその端部をアームの周りに巻きつけてその端を天蓋カバーに縫い合わせあるいは溶接してアームを包囲する袖部を形成することによって実現されうる。このようにしてそれぞれ部分Ａ，部分Ｂ及び部分Ｃに設置された天蓋カバー間の隙間は帯状の布でつなぎ合わされる。ここでこの布８８はジョイントの内側で天蓋カバーを継ぎ合わせるようにして、天蓋が使用状態の構成から収納・携帯状態の構成に変更する際にこの布８８が緊張することなく折りたたまれるようにすることが重要である。この布８８がジョイントの外側にも受けられた場合この布８８は折りたたみ時に伸張されて天蓋カバーの形状を変形しうる。
【０１８６】
また、図１９に示されるように上記同様の薄型折りたたみ構成を４つの部分からなる天蓋において実現することも可能である。同図では第２アーム９０が最も長く形成されて、その両端にはそれぞれ第１ジョイント９２及び第２ジョイント９４が設置される。第１ジョイント９２は、図中において×印によって示される第１アーム９６に接合され、この第１アーム９６は第２アーム９０間の空間内に折りたたまれる。第２ジョイント９４は第３アーム９８と接合し、この第３アーム９８は第２アーム９０よりも短いため、第３ジョイント１００は第２アーム９０の端部１０２の内側に配置される。そして点線によって示される更なるアーム１０４は第３アーム９８によって形成される空間内に折りたたまれる。このようにして全体的に非常に薄型の折りたたみ構成が実現されうる。
【０１８７】
また日陰を提供するのに有効であると同時に風による影響を受けにくい天蓋を実現するために適正な構成の布を適用することが好ましい。このような好適な布の構成の一例としては、第１方向に延びる１本の糸それぞれがこの方向に対して垂直な方向に延びる２本の糸を上下交互に通過するように構成される布が挙げられる。糸間の間隔はいずれの方向においても布に風を通すために十分な通り穴を形成できる一方で９２％の日陰を提供できる程度の間隔に設定される。こうして８５％の風を通過可能にしながら７５％の紫外線を遮断する布を形成することが可能である。よって本発明によると、例え弱い日焼け止めクリームを使用していたとしても長時間外にいることが許容される。また、本発明は外にいるユーザに清涼感を提供することが可能である。なお、本実施例では第４部分（端部）を第３部分に対しておることによって日陰を更に拡大することが可能である。
【０１８８】
なお、天蓋はアームの素材としては金属、プラスチック、アルミ、又はこれらの組み合わせを適用することが可能である。好適な実施形態によると、アームは角部が丸みをおびた正方形断面を有するプラスチック成形体から構成される。特に第２アーム以降のアームにこの構成を適用することが好適である。また第１アームは好適には図１５に示されるような構成を有する。図１５の断面図はアーム１２０のＩビーム断面１２２構成を明確に示す。このＩビーム断面１２２はその両側部に形成される溝１２６に設けられる一連のクロス部材１２４によって補強される。この一連のクロス部材１２４は一連の菱形陥凹部１２８及び一連の三角陥凹部１３０を形成する。なお、Ｉビーム断面及びクロス部材は一帯構成をなすことが好ましく、例えば同一の成形工程において成形される。
【０１８９】
また、上記全体構成に更なるアームの対を導入することで天蓋に第４パネルを構成させることももちろん可能である。
【０１９０】
なお、ラウンジチェアを含むほとんどのレクリエーション家具は実質的な枠組み構造を有し、ここに固定系の第２構成部に相当する陥凹部を設けることが可能である。しかしこのような枠組みは家具の設計などによって大幅に異なり、特にこれは製造者によって異なる。本発明の実施形態によって製造されるアクセサリはそれぞれ特定の設計や製造者に対応して設計されるのではなく、また第２構成部の位置や方位を各家具において一貫させることなく様々な設計や製造者の家具に適用されうることが望ましい。
【０１９１】
上記の観点から、本発明による実施形態は、第２構成部の位置及び方位の変動を許容するように構成される。このような構成が図３及び４において示される。
【０１９２】
図３はラウンジチェア６の枠組み２００の一部を示す。枠組み２００は実質的垂直部２０２、傾斜部２０４、及び湾曲上面２０６を有する。この湾曲上面２０６は枠組み２００の一方の側部２０４をこれに対応する他方の側部の上面に接合する。第２構成部２０８はラウンジチェアの枠組み２００の上面から窪むように形成され、またこの第２構成部２０８の開口部が上面２０６上に形成される。図示されるようにこの第２構成部２０８は第１構成部２１０と連結する。
【０１９３】
図４に示されるように枠組み２００と第２構成部２０８を省いた状態では、第１構成部２１０は本体部２１２を有し、アクセサリ使用中にはこの本体部２１２が第２構成部内に侵入する。また第１構成部２１０は１対の支持アーム２１４及びそれぞれのアーム２１４上に設けられる１対のグリップ部２１６を有する。また、本体部２１２の継続部２１８は第１構成部２１０を円盤素子２２０に接合する。この円盤素子２２０は中央開口部を有し、アーム２２８の取り付け部２２６における導管２２４内において受け止められる。導管２２４は第１側部２３０及び第２側部２３２によって形成され、これらの側部は取り付け部２２６によって接合される。またこれら側部２３０及び２３２は共に円盤素子２２０の開口２２２と同様の位置と大きさの中央開口部を有する。この開口部にピンを挿入することによって円盤素子２２０、継続部２１８、及び第１構成部２１０は取り付け部２２６、アーム２２８及びその他の天蓋構成に対して回転可能になる。よって天蓋のアーム２２８が実質的に垂直に配置される一方で第１構成部２１０は傾斜されて第２構成部２０８と並列するように構成されうる。第２構成部２０８は湾曲上面２０６と同一平面をなすように構成される。
【０１９４】
アーム２２８は管状に設計され、その終端部２３６にはこれよりも小さい直径を有するアームが上下できる形で挿入されうる。これら各アームに解除可能な係止部を設けることによってアーム２２８及び第２アームは伸縮可能に調整可能となり、所望の位置に配置されうる。このようにして家具に対する天蓋の高さが調整可能となる。例えばこの天蓋の高さはラウンジチェアにおいては通常の椅子に比べて低く設定されることが好ましい。
【０１９５】
図５は本発明の実施形態による天蓋全体の支持構成を示す。この構成はそれぞれ取り付け部５０４によってアーム５０２の終端部に取り付けられる１対の第１構成部５００を有する。アーム５０２は通常垂直に配置され、その他方の終端部にはジョイント５０６が設けられる。ジョイント５０６からは第２アーム５０８が連結され、ここから更にジョイント５１０を介してアーム５１２が連結され、これら各アーム５１２はその先端で湾曲５１６してリンクアーム５１４によって連結される。またジョイント５０６間にはクロスアーム５１８が設置され、ジョイント５１０間にはクロスアーム５２０が設置される。なお、天蓋が使用される際この枠組み構成は適切な布素材などによって覆われる。
【０１９６】
図６は固定系の第１構成部及び同構成部と第１アーム５５０、ジョイント５５２、及びアーム５５４との相互関係を示す拡大斜視図である。
【０１９７】
第１構成部５６６は図３及び４と略同様の構成を有するが、ここではアーム５５０を受け止め２つの部分５６０及び５６２を結合して導管５６４を形成する取り付け部５８８が若干異なる。ここでは取り付け部５８８が部分５６０と５６２の間に直接設置され、ここでアーム５５０の取り付けを実現する。このような構成においてもナット５６４を緩め／閉めすることによって第１構成部をアーム５５０に対して様々な角度に方位付けることが可能である。
【０１９８】
ジョイント５５２は調整可能なノブ３００を有し、このノブ３００はアーム５５０及び５５４を相互に変位させこれらを所望の位置関係に固定するためにジョイントを緩め／閉めする際に用いられる。このノブ３０はアーム５５４、ブロック３０８、第１スプライン素子３１０、第２スプライン素子３１２、第２ブロック３１４、アーム５５０上部の孔３１６、キャップ３１８それぞれの開口を通過し、反対側の取り付け部（非図示）に達するシャフト３０４（部分的に図示）の先端３０２と接合する。なお、この図ではシャフト全体の長さは示されない。組み立て状態では、アーム５５４がブロック３０８における導管３２２内に収容される。なお、第１スプライン部３１０には突出部３２４が設けられ、これによって第１スプライン部３１０とブロック３０８との連結が実現されうる。同様に第２スプライン部３１２にも突出部が設けられこれによって第２スプライン部３１２と第２ブロック３１４とが連結される。また、ノブ３００の絞め付けによる抵抗がない状態では第１スプライン部３１０と第２スプライン部３１２とを相互反対方向に付勢するようなスプリング（非図示）が設置される。このスプリングはユーザが位置調整を行う際に第１スプライン部３１０と第２スプライン部３１２とを変動可能にし、相互の位置関係を適正に調整できるようにする。ノブ３００を閉めることによって第１スプライン部３１０と第２スプライン部３１２とは再び固定されることとなる。また組み立て状態において第２ブロック３１４はアーム５００を収容するための導管３２６を有する。また第１スプライン部３１０及び第２スプライン部３１２のそれぞれにおけるスプラインによって上記２本のアームはノブ３００が緩められた際は相互に対して回転可能となり、ノブ３００が閉められた際は固定される。
【０１９９】
図７は本発明による更なる実施形態を示し、ここでは天蓋が使用される場合における天蓋素材（非図示）を支える枠組み５５０の構成を示す。枠組み５５０はそれぞれ取り付け部５５６によってアーム５５４の一端部に取り付けられる第１構成部５５２を１対有する。なお、使用中は通常アーム５５４は垂直に設定される。これらアーム５５４の他方の端部にはジョイント５５８が設けられる。ジョイント５５８からは第２アーム５６０が結合され、ここから更にジョイント５６２を介してアーム５６４が連結される。各アーム５６４の先端はカーブ５６６によって結合される。なお、以下において図８を参照しながらジョイント５６２の詳細を説明する。各ジョイント５６２はそれぞれクロスアーム５７０に接合され、各ジョイント５５８はクロスアーム５７２に接合される。これらクロスアーム５７０及び５７２は共に空洞で正方形断面を有する金属製のアームに相当する。これらクロスアームの空洞５７４はジョイント絞め付け系のシャフト５７６を収容する。各クロスアーム５７０，５７２の先端はそれぞれジョイント５６４、５６０における正方形の陥凹部５７８に受け止められる。
【０２００】
ジョイント５５８及び５６２はそれぞれ１対の正方形断面空洞５８０を有し、これら空洞５８０はアーム５５４、第２アーム５６０及びアーム５６４を構成する正方形断面素子をスライド可能に収容する。
【０２０１】
図８は、図７において右側に示されるジョイント５６２の組み立て状態を示す断面図である。クロスアーム５７０は絞め付け系のシャフト５７６を収容する。このシャフト５７６の端部にはナット５７７及びスプリング５８２が設置される。ナット５７７は更にノブ５８４の陥凹部に連結される。ノブ５８４はブロック５８５に対して自由自在に回転可能である。ブロック５８５はスプライン面５８６を有し、このスプライン面５８６はブロック５９０のスプライン面５８８と係合する。ノブ５８４を緩めることによってブロック５８５とブロック５９０との係合が解除される。これによって一方のブロックを他方のブロックに対して回転することが可能になり、よってアーム５６４をアーム５６０に対して回転することが可能になる。スプリング５８２はスプライン面５８６と５８８とが相互に接合するよう付勢する。そしてノブ５８４を閉めることによってこれらの位置が固定される。このようにノブ５８４を動かすことによって各ジョイント５６２におけるスプライン面を変位可能にし、またこれらを固定することが可能である。
【０２０２】
図９において示される実施例によるラウンジチェア７００は図１の構成と略同様な構成を有する。ここでは天蓋７５０が１対のアーム７３２を有し、各アーム７３２それぞれの第１端部には固定系の第１構成部７５４が設置される。固定系の各第１構成部７５４は第２構成部内に収容され、この第２構成部はクランプ手段（非図示）によってラウンジチェア７００の枠組み７６０の背部７５８にクランプされる。このクランプ構成の詳細については後述する。この実施例では天蓋素材として一連の緩くオーバーラップする帯状素材７６２によって構成される。なお天蓋７５０における上記以外の構成は、図１の構成と同様である。
【０２０３】
図１０及び１１は例えば図７の天蓋に適用されうる本発明の実施例を示す。ここでは固定系の第２構成部がクランプ６００によってラウンジチェアに取り付けられる。このような構成は特に管状設計の家具への適用に好適である。クランプ６００はヒンジ６０４によって接続される１対のアーム６０２ａ、６０２ｂを有する。各アーム６０２ａ、６０２ｂはそれぞれカップ型部６０４ａ，６０４ｂを有する。これらカップ型部６０４ａ，６０４ｂは相互に対向し、ラウンジチェアの枠組み６０６の一部の周りに固定されうる。使用中、ヘッド部６０９を有するネジ体６０８はクランプ６００のアーム６０２ａ、６０２ｂ間の間隔を調整し、取り付け部６１２の孔６１０を貫通するように構成される。取り付け部６１２は第２構成部６１６の受け止め部６１４に連結する。ネジ体６０８を絞めることによってクランプ６００はしっかりと枠組み６０６に係止される。なおこの第２構成部６１６の取り付け部６１２は一度このように枠組み６０６に固定されるとそれ以後アクセサリをラウンジチェアから取り付け／取り外しするために操作されることはない。このような操作のためには第１構成部及び第２構成部によって構成される裏返し可能で、着脱が簡単で、且つ片手で操作可能な固定系が適用される。図８の場合クランプ６００は例えばラウンジチェアの背もたれの上部にある管状構造の水平枠組み６０６にデバイスを取り付けるために適用される。図１１の場合クランプ６００は例えばラウンジチェアの背もたれの側部における垂直の管状枠組み６０６にデバイスをクランプするために適される。
【０２０４】
また、図１０及び１１は第１構成部及び第２構成部によって構成される固定系の仕組みを説明する。第１構成部８００は主に先端部８０４を有する本体８０２から構成される。本体８０２の先端部８０４からはグリップ８０７を具備する１対の変形可能アーム８０６が本体８０２の後端部８０８のほうへ延びる。使用中、第１構成部８００の先端部８０４は第２構成部６１６の受け止め部６１４に挿入される。ここで第１構成部８００の先端部８０４が受け止め部６１４に押し込まれる際アーム８０６が本体８０２のほうに寄せられ変形するように受け止め部６１４は構成される。アーム８０６のラッグ８１４が第２構成部６１６の受け止め部６１４の壁における開口８１６の位置に達すると、同アームの弾力によってこれは外へ付勢されこれによってラグ８１４と開口８１６とが係合し、第１構成部と第２構成部とを結合させる。
【０２０５】
受け止め部６１４の内面は本体部８０２の表面に接してしっかりと補強された係合を実現するように構成される。
【０２０６】
特に木製の家具への適用例においては、図１２に示されるように、固定系の第２構成部を部材８５０内の陥凹部として形成することが可能である。ブロック８５０は家具の枠組みの上部構成に相当しうる。なお、場合によっては天蓋などを取り付ける前の段階においてこの家具の部材８５０の幅を広くする必要がある。また、このような調整が不要な場合もある。いずれにしても第２構成部８５２は部材８５０の外観に害を及ぼすことなく設置される。また、好適には第２構成部が挿入される開口部の上部を覆うカバー８５４が設けされる。
【０２０７】
第２構成部が既存の構成に追加される場合、これを図１２に示される構成と同様なブロックという形で提供し、このブロックを既存の家具における図１２の面８５６などに相当する部位に取り付けることが可能である。
【０２０８】
管状枠組み構造の家具については、図１３に示されるように第２構成部８７０を取り付け部材８７２の上部又は側部に取り付けることが可能である。この取り付け部材８７２は管状枠組み８７６の断面形状と一致する断面の貫通孔８７４を有する。なお、管状枠組みが円形断面を有する場合、管状枠組みには１又は複数の穴８７８、ノッチ又は溝が形成され、これらが貫通孔８７４の内面に形成される突出部と係合するように構成される。取り付け部材８７２はこれら突出部と穴部とが係合するまで管状枠組みに沿ってスライドされる。このようにして家具の外観を損なうことなく取り付け部の天蓋に対する回転が抑制されうる。
【０２０９】
好適な組み立て技術として、天蓋素材は所望の形状に形成され、アームを受け止めるいくつかの袖部を有する。これらの袖部は天蓋の端部を折り返してこれを天蓋の主要部に溶接するなどして所望の位置に形成される。そして固定系の第１構成部を具備する第１アームはそれぞれこの袖部に通される。そして次にジョイントがスライド係合手段によって各第１アームの端部に取り付けられたあとクロスアームが取り付けられる。次にこのクロスアームの固定部材が取り付けられて絞め付けられる。そして次に各第２アームがそれぞれジョイントと袖部に通されたあと、更なるジョイントが第２アームの反対側の端部に取り付けられる。次にクロスアームが挿入され、この固定部材が設置され且つ絞め付けられる。最後に更なるアームが袖部に通され、更なるジョイントの端部に挿入されて天蓋の組み立てが完成される。このようにアーム、クロスアーム、及びジョイントをそれぞれ別々に導入することにより、高価となるジョイント製造工程の再設定や変更などを要さずに天蓋のサイズや形状を変更することが可能である。というのは本実施例ではこのような変更はアームの長さや天蓋の形状を変更することによって用意に実行されうる。
【０２１０】
図１６は本発明の特に好適な実施例を示す。ここで図示される４部構成の天蓋は最短の第１アーム９００、最長の第２アーム９０２、第２アーム９０２よりは短く第１アーム９００よりかは長い第３アーム９０４を有する。またこの構成はそれぞれ同一の長さに設計される第１リンクアーム９０６、第２リンクアーム９０８、及び第３リンクアーム９１０を有する。これらリンクアームはさらに終端アーム９１２と同等の長さを有する。これによって組み立て体を製造するために要される構成部の種類数を削減し、組み立てに要される技術レベルを低くすることが可能である。ここではプラスチック製の椅子などへの適用に好適である取り付け部９１４を適用した構成を示す。なお、この構成の組み立て状態が図１７において示される。
【０２１１】
なお、天蓋素材の風通しをよくし、各種問題を回避するためには、天蓋素材をアーム間において強く張った状態で設置することが重要となる。これを実現するためには、以下のような組み立て手順が有効である。図１６を参照して、まずこの組立工程は天蓋素材をその袖部が対応するアームおよびリンクアーム受け入れることができるような適正な状態で提供することから始まる。そしてまずリンク９１２が第１袖部に挿入され、次に角部９１４がこの両端に取り付けられる。続いてアーム９１６が挿入される。次にリンク９１０が挿入された後ジョイント９１８の一部分が挿入されるか、あるいはこれらが玉の順序で挿入されうる。次にアーム９０４が対応する袖部に挿入された後ジョイント９１８の残りの部分の端部に挿入される。なお、このアームのジョイントに接合されないほうの端部は若干外に広がるように構成され、ジョイント９１８の２つの部分が係合するようにする。次にジョイント９０２の一部分がアーム９０４に取り付けられた後リンク９０８が挿入されるか、あるいはこれらが逆の順序で取り付けられる。そしてアーム９０２が挿入され、ジョイント９０２が完成される。最後にリンクアーム９０６が袖部に押し込まれ、一方のジョイント９２４の端部９２２に挿入される。なお、他方のジョイント９２４の端部９２６においてはその縁に切断部が形成されていて、リンクアーム９０６がこのジョイントにも押し込まれうるような構成となる。このようにして布にたるみのない組み立て体が実現されうる。
【０２１２】
図１８は上記のような構成を適応した場合に実現されうる日光の入射角度（図の下部に示す数値参照）に応じた日光遮断特性を示す。この図において示されるように、この構成によって非常に効果的な日光遮断特性を実現することが可能である。
【０２１３】
図２０は２部構成ジョイントの一部分９４０を示す斜視図である。このようなジョイントは特に第２と第３アーム間への適用に好都合である。アーム（非図示）はこの本体部９４２に挿入される。本体部９４２は半径方向に延びるリッジ９４６を具備する円盤部９４４に接合される。また、このようなリッジを具備する面がこのジョイントの他方の部分（非図示）においても設置される。これらリッジア９４６は本ジョイントが動かないように相互に係合して動作に対する抵抗を提供する。このような抵抗を超越する力が印加されたことによって始めてこれらジョイント部分は動かされる。ジョイントの中央には突起９４８が形成される。また、ジョイントの回転軸はこの中央部を通過する。この中央には六角形状断面を有する中央開口部９５０が形成される。よって六角形状断面を有するリンクアームは一度このジョイントに挿入されるとここにロックされることとなる。なお、突起９４８は他方のジョイント部分の回転軸周辺に形成される陥凹部に連結される。
【０２１４】
特に第１ジョイントなどのジョイントは１方向における回転限度とこれとは反対方向における回転限度との間における自由な回転を許容するように構成されうる。例えば図２１に示されるように回転限度は図示されない他方のジョイント部分の突出部が図中のジョイント部分９６４のストップ９６２に接触する点９６０によって定義されうる。このストップ９６２はプラスチック材料内に設置される金属ピン９６６によって補強される。このジョイント部分９６４における導管９６８は回転中上記突出部が移動するための通路を提供する。ジョイントを安定化するために前方のジョイント部分には更なる突出部が形成される。この突出部は回転限度地点においてまた別のストップ９７２と接触する。このストップ９７２は外周導管９７２において設置される。この導管９７２の側部は開放されていて、降起部９７４によって導管９６８から分離される。これらストップを相互に１８０度離れた位置に設置することによってジョイントの安定性を確保することが可能である。なお、導管９６８には上記突出部の通過を妨げない深さにいくつかのウェブ９７６が張られる。
【０２１５】
なお、図２２に示されるように、第１アームをはじめとするアームの長さをより自由に調整可能にするためにモジュラーアーム構成を適用することが可能である。同図においてプラスチック製アーム９８０はその一端においてこれよりもさらに小さなピン９８２を具備し、その他方端部９８４においてはこのようなピンを受け止めるための開口部を具備する。よってこの第１アーム９８０に更なるアーム９８６を取り付けてアーム全体の長さを長くすることが可能である。第１アームの一端には第１ジョイントが取り付けられ、その他方の端部には固定系の一部が同アームのピン９８２又は開口部によって取り付けられる。このようにして様々な長さのアームを製造する手間を省くことが可能になり、コストダウンにつながる。
【０２１６】
また、天蓋の構成は風の作用をも考慮する。天蓋の延長部分（第３部分）は風によって天蓋がユーザのほうに押されるように設計される。この力は設置される回転ストップに逆らうため、天蓋の位置が変動するあるいは折りたたまれることを抑止する。さらにこの作用と取り付け構成との組み合わせによって家具に掛けられる力を分散させることが可能である。よって好適な天蓋及び取り付け構成が実現可能である。
【０２１７】
なお、上記実施例ではアーム間の位置関係を維持しこれらに適度な強度を提供するためにアーム間に固定部材を設置しているが、本発明の他の実施例によるとこれ以外の構成を有する家具やアイテムへ好適に適用可能な天蓋や取り付け構成を提供することが可能である。また、本発明に実施形態によると、天蓋はその形態性及び収納性を光譲位するために場所を取らない状態に折りたたみ可能である。
【０２１８】
なお、上記説明では、本発明をラウンジチェア及びそのアクセサリに適用した例が示されるが、本発明はこのような実施例に限定されることはなく、例えばテーブル、や椅子など他の家具にも同様に適用可能である。また、アクセサリも上述の実施例と異なる形態をとることももちろん可能であって、例えばパラソル、風除け、読書灯、読書スタンド、などその他各種付属品に相当しうる。
【０２１９】
家具用品の設計構成には様々なものがある。このように様々な構成を有する家具用品に取り外し可能な天蓋や日除けなどを取り付ける際、取り付けられた部品の回転力に対して適正な抵抗を提供してこの部品を固定することは非常に困難である。特に管状の枠組み構成を有する家具用品においては、円形断面の管状枠組みがこのような回転に対する抵抗を提供できないためこの問題は顕著である。枠組み内部を通過する器具を使用する取り付け部材はその製造や設置が複雑であって、既存の家具構成に適用した場合これはなおさらである。枠組みに穴などを形成した場合これは部品を使用しないときには外観上あまり好ましくないうえ、ユーザが家具を購入した後このような改造を希望した場合これを提供するのは困難である。また他の状況において管状枠組みに取り付け部材を導入しようとした場合にも上記と同様な問題に直面することとなる。特に乳母車、手押し椅子、バギーなどの育児用品装備などにおいて上記の問題は顕著である。
【０２２０】
本発明は上記及びその他の問題点を鑑みて開発された。以下においては本発明を家具の枠組みに適用する例を主に説明するが本発明はより広範囲で適用可能である。
【０２２１】
図２３に示される取り付け部材１００１は椅子の背もたれなどの家具の枠組み１００３にしっかり固定されうるように構成される。この取り付け部材１００１は枠組み１００３の角部１００５に取り付けられる。枠組み１００３は第１管状部１００７、第２管状部１００９及び湾曲管状接続部１０１１によってからなる一連の枠組みを構成する角部１００５を有する。第２部１００９は直線的であり、およそ水平に配置される。第１部１００７も直線的であり、第２部１００９に対して下向に延びるように設置される。この第１部１００７は家具の構成に対応して垂直状態、傾斜状態あるいは調整に応じて様々な角度に方位付けられる構成を有することが可能である。
【０２２２】
取り付け部材１００１は第１部分及び第２部分から構成され、図２３においては前方に配置される部分１０１３が詳細に示され、図２４においては後方に配置される部分１０１５が詳細に示される。
【０２２３】
前方部分１０１３は枠組み１００３を受け止める導管１０１９の一方に位置する第１部位１０１７及び同導管１０１９の他方に位置する第２部位１０２１を有する。導管１０１９は第１部位１０１７から延びて枠組み１００３の周りを湾曲して第２部位１０２１二連結するセクション１０２３によって形成される。このセクション１０２３はさらに別の方向に沿っても湾曲して導管１０１９が収容する枠組み１００３の部分（すなわち湾曲管状接続部１０１１及び第１部１００７及び第２部１００９それぞれの先端部）に合わせて同導管１０１９の形状を支持する。
【０２２４】
第１部位１０１７及び第２部位１０２１はそれぞれ平面及び湾曲エッジ１０２９を有し、これらのエッジは後方部分１０１５の各部位における対応エッジ１０３１と一致するように構成される。第１部位１０１７とセクション１０２３との結合箇所及び第２部位１０２１とセクション１０２３との結合箇所にはそれぞれ平滑な形状変化を実現するためにカーブ１０３３が設けられる。
【０２２５】
ここで重要な点として第１部位は固定系の第１構成部をその内部に収容する。図示される例ではこの第１構成部は陥凹部１０３５に形成されるメス部に相当する。この陥凹部１０３５には固定系のオス部１０３６との適正な係合を確保するための誘導管と、必要に応じて上記オス部とメス部との係合をしっかり維持するための保持手段を具備する。なお、上記オス部及びメス部の係合は解除可能に設定される。なお、好適な固定系の詳細については当発明者による国際公開番号WO９８／１７９２２を参照に記載される。
【０２２６】
図２４は特に既存の管状枠組みに上記取り付け部材を導入する方法を説明する。なお、既存の枠組みとは例えば製造工程が完了し工場から出荷されうる状態の家具や、消費者によって以前に購入された家具などに相当しうる。
【０２２７】
まず前方部分１０１３及び後方部分１０１５がくっついた状態で提供される場合、ネジ１０３７を緩めることによってこれらを分離することが可能である。なお、これらのネジ１０３７は後方部分１０１５に形成される開口部を通過して前方部分１０１３に結合された状態では同前方部分１０１３内の口径に達する。
【０２２８】
次に前方部分１０１３が枠組み１００３の前方側に取り付けられることによって第１部１００７、湾曲部１０１１及び第２部１００９は導管１０１９に搭載された状態となる。次に後方部分１０１５が反対側から導管１０１９に取り付けられて前方部分１０１３と一致するようにする。次にネジ１０３７を挿入してこれらを絞めることによってこれら前方部分１０１３と後方部分１０１５とが相互にしっかり固定されうる。なお、ここで前方部分１０１３のセクション１０２３及び後方部分１０１５のセクション１０２３によって形成される導管１０１９を適正な寸法にすることによって枠組み１００３に対する固いグリップが実現可能である。図示される例においては、枠組み１００３は導管１０１９の長さ全体にわたってグリップされる。
【０２２９】
また別の例においては、この取り付け部材は前方部分１０１３及び後方部分１０１５それぞれに枠組み１００３を係合する第１係合部と第２係合部とを具備しうる。一部分に設けられるこれら第１係合部と第２係合部とは枠組み１００３と係合しない部分によって隔離されうる。なお、一方又は好ましくは両方の第１係合部の位置における導管１０１９又は枠組み１００３の軸が一方又は好ましくは両方の第２係合部の位置における導管１０１９又は枠組み１００３の軸とは異なるように第１係合部と第２係合部との間隔が調整される。このように軸を異ならせることによって取り付け部材の回転に対する抵抗を提供することが可能になる。特に第１係合部が第１部１００７に係合し、第２係合部が第２部１００９に係合する構成の場合これら管状部１００７，１００９が直線形状であって更にこれらの軸が相互に９０度で交わることから回転に対する強い抵抗を提供可能であることから好適である。
【０２３０】
なお、上記の実施例にいずれにおいても、必要に応じてゴムパッドなどの順応性素子を導管１０１９内における枠組み１００３との接触位置に１又は複数導入して上記グリップを実現することも可能である。
【０２３１】
従来技術とは異なり、本発明による取り付け部材は同取り付け部材と枠組みとの相対動作に対する抵抗を提供するのに取り付け部材と枠組みとの間のグリップに依存していない。上記グリップ原理に依存する歯形状のクランプやその他の構成は固定系に取り付けられるアイテムによるレバレッジ効果によって生じる取り付け部材の回転に対する抵抗を十分に提供することができない。好適には本発明の取り付け部材は例えば取り付け部材の器具を受け止めるための穴を枠組みに形成するなどといった枠組みの変形や変更を要さない。このような従来の設計改造は組み立てられた枠組みに穴などをドリル形成するなどの高度な技術を要するため素人による実行が困難であった。また、このような穴が予め形成されていた場合、取り付け部材が使用されない際に外観上の不都合が生じる。よって本発明による実施形態は枠組みの解体などを要さないため特に素人による取り付け部材の組み込みに好適である。なお本発明においては既存の枠組み、第１部１００７、第２部１００９を適用して枠組み１００３に対する取り付け部材の回転動作やその他の動作に対する抵抗を提供しうる点からさまざまな効果が得られる。
【０２３２】
なお、図示される例では取り付け部材の２つの部分はネジ１０３７によって組み合わせられるが、固定系のメス部の陥凹部１０３５付近においてキャップ１０４１を適用することによってこれら部分の結合がさらに強化されうる。
【０２３３】
また、上記実施例における導管１０１９は枠組み１００３の湾曲部１０１１の形状に合わせて形成されているが、これは必要条件ではない。図２５は更なる実施例を示し、ここでは上記と同様の構成要素は同一の符号が付与される。この例では本体部１０５０は特定の枠組みの形状に対応する導管１０１９を提供するのではなく、その代わりにこの本体１０５０は導管１０１９の一端側に第１部１００７を係合するための第１枠組み係合部１０５２及び導管１０１９の他方の端部側に第２部１００９を係合するための第２枠組み係合部１０５４を具備する。これら２つの枠組み係合部の間にはチャンバー１０５６が形成される。チャンバー１０５６は図２３及び２４に示されるような限定された形状を有する
導管に比べてはるかに広い適用範囲を有する。図２６はこの実施例の利点を説明する。
【０２３４】
管状枠組みは一般的に共通の形状の角部を有する。これは各製造者がこのような家具の枠組みの材料として共通の材料を使用するからである。軽量性と強度との平衡を実現するために一般的に各製造者間で略同一の直径の管が適用されている。更にこのような材料を湾曲させるときの湾曲の半径に対する制約からこの湾曲形状についても略同様な形状の家具が多い。しかしながら各種製品によってもちろん多少の相違はある。このような相違は図２５及び２６による実施例によって対応可能である。チャンバー１０５６の場合取り付け部材における枠組み１００３の形状に対する制約が少ないため、ここでは様々な長さ及び湾曲半径を有する湾曲部１０１１が好適に収容されうる。ここで取り付け部材は枠組み係合部１０５２及び１０５４を具備することによってその機能を適正に果たすことが可能である。図２６に示されるように本実施例では比較的急激な湾曲形状を有する湾曲部１０１１aにも比較的緩やかの湾曲形状を有する湾曲部１０１１ｂにも対応可能である。よって特定の製造者による特定の設計に対応するのではなく様々な設計を有する製品に柔軟に対応可能な構成を実現できる。
【０２３５】
なお、多くの場合取り付け部材を取り付ける対象とされる家具用品やその他のアイテムは第１垂直管状部、第２水平管状部及びこの間の適正な位置に湾曲リンク部を具備する。しかし特に家具などの設計によっては（図２７参照）水平部Xが湾曲部Yを介して比較的水平に配置された部分Zに接合され、垂直部はほかの箇所で接合されるような構成が考えされる。この部分Zは水平方向から０〜４０度の範囲内に延びることが想定される。このように水平部Xに対してそれぞれここから所定の角度で水平に延びる更なる水平部Zを有するような枠組みには上記の構成を有する取り付け部材は適切でない。
【０２３６】
よってこのような枠組みに対応する本発明の更なる実施例を図２７，２８及び２９に示す。
【０２３７】
この実施例でも取り付け部材１１００は一般的に第１部及び第２部の２つの部分からなる。ここでは第１部を上部１１０２、第２部を下部１１０３と呼ぶ。上部１１０２は一方１１０８から他方１１１０まで延びる導管１１０６の上部を形成する。同様に下部は一方１１０８から他方１１１０まで延びる導管１１０６の下部を形成する。使用中この導管１１０６は枠組みを収容する。
【０２３８】
導管１１０６はセクション１１１２によって形成され、このセクション１１１２は平面１１１４と連結する。このような構成はそれぞれ上部１１０２及び下部１１０４の両方に形成される。また上部１１０２と下部１１０４との境界では平滑な接合が実現される。
【０２３９】
上部１１０２は固定系の第１構成部を収容する。この実施例での固定系の第１構成部はカップ１１１８によって形成される陥凹部１１１６におけるメス部から構成される。このカップ１１１８は平面１１１４における開口部に配置されこれと接合される。カップ１１１８の先端は下部１１０４におけるドーム部１１２０によって受け止められる。上記同様にメス部は固定系のオス部が適正に導入されるようにするための誘導管を具備する。固定系のオス部とメス部とが係合されることによって家具の枠組みに天蓋がしっかりと取り付けられる。
【０２４０】
第１実施例同様に本実施例での取り付け部材もその上部１１０２を家具の枠組みの一方側に取り付けて、下部１１０４を枠組みの他方側に取り付けることによって家具の枠組みに取り付けられる。これら２つの部分は相互に押し合わされて、これによって枠組みは導管１１０６内に収容され、カップ１１１８はドーム部１１２０内に受け止められる。そしてこれら２つの部分は上部１１０２における固定位置１１２２を通過してさらに下部１１０４における固定位置１１２４を通過する取り外し可能固定部材によって固定される。
【０２４１】
この実施例においても上部１１０２は第１枠組み係合部１１２６を有し、下部１１０４は第１枠組み係合部１１２８を有し、これらは枠組みにおける一箇所と係合する。また上部は第２枠組み係合部１１３０を有し、下部は第２枠組み係合部１１３２を有し、これらは上記第１枠組み係合部の係合箇所とは異なる枠組み軸方向／導管軸方向を有する位置で枠組みと係合する。
【０２４２】
上記実施例によると、固定系のオス部をメス部に挿入する際の挿入方向軸は第１係合部の位置における導管／枠組み軸と第２係合部の位置における導管／枠組み軸との両方に対して実質的に垂直である。これは固定系のオス部をメス部に挿入する際の挿入方向軸が第１係合部の位置における導管／枠組み軸と略一致し、第２係合部の位置における導管／枠組み軸に対して９０度をなす第１実施例とは異なる特徴である。
【０２４３】
管状枠組み構成を有する育児用装備のための取り付け部材に関していえば、図２３に示される原理に基づく取り付け部材を適用可能である。しかし陥凹部１０３５によって形成されるメス部は２つの部分が組み合わせられることによって形成されるよりも第１部又は第２部のいずれかによって一体的に形成されることが好ましい。この場合２部構成という原理は適用されるが、これは単に枠組みに対するクランプ作用を提供するためである。
【０２４４】
本発明による実施例は枠組みに対して自由に設定されうるという利点を有する。ここで取り付け部材は枠組みにおける所定の位置においてのみ完全に係合しうるように第１及び第２枠組み係合部並びに導管全体の形状が設計工夫されているため取り付け部材と枠組みとの係合は実際には想定される所定の位置においてのみ適正に実現される。これは枠組みの線形―湾曲―線形の特性を活用することによって実現される。
【０２４５】
家具用品の設計構成には様々なものがある。このように様々な構成を有する家具用品に取り外し可能な天蓋や日除けなどを取り付ける際、取り付けられた部品の回転力に対して適正な抵抗を提供してこの部品を十分固定することは非常に困難である。これは特に樹脂の枠組み構成を有する家具において問題となる。というのはこのような材料からなる枠組みに対する改造は素人によって実行が困難であるため取り付け部材をこのような既存の構成に組み込む場合に問題となる。すなわちこのような枠組みを切断したり、これに穴をドリル形成したり、その他の改造を加えた場合この枠組みは破損し、その強度を失うかまたは外観上の美的性を失う可能性が大きい。
【０２４６】
本発明はこのような問題を鑑みて開発された。
【０２４７】
図３０には本発明を椅子に適用した例を示す。しかし本発明はこれ以外にもさま座万家具用品アンドに適用されることが可能である。本実施例での取り付け部材２００１は家具の枠組み２００３にしっかり取り付けられるように設計される。なおこの取り付け部２００１は枠組み２００３の１つの角２００５に取り付けられることが想定される。
【０２４８】
枠組み２００３はユーザが寄りかかる椅子の背もたれを形成する平面２００７を有する。さらにこのフレーム２００３は側壁２００９、上壁２０１１及び湾曲されたリンク壁２０１３を有する。これら３つの壁は相互連続し椅子を一体的に構成する。このような構成は例えばプラスチックを成形することによって形成されうる。側壁２００９は実質的に垂直に配置され、上壁２０１１は実質的に水平に配置され、リンク壁２０１３はこれらの壁のつなぎ合わせを構成する。
【０２４９】
上記のような構成を有する家具は数多く存在するが、これらの具体的な設計はさまざまである。本発明はこのような構成を有する家具に適切に取り付けられうる固定系の取り付け部材を提供する。特に本発明による取り付け部材はさまざまな構成に係合することが可能であり、また比較的低コストでこの取り付け部材の基本構成に対して変更を加えることでほとんどの枠組み構成に対応可能なように設計される。
【０２５０】
取り付け部材２００１は角張った形状を有する部材であって、壁２００９の外面形状に対応する内面２０１７を有する第１部２０１５及び壁２０１１の外面形状に対応する内面２０２１を有する第２部２０１９を有する。また取り付け部材２００１は更に湾曲壁２０１３の外面形状に対応する内面２０２５を有する第３湾曲部２０２３及び椅子の平面２００７と一致する内面２０２９を有する更なる部分２０２７を有する。
【０２５１】
第１部２０１５はその内面２０１７に対して実質的に垂直に延びる突出部２０３１を有する。この突出部２０３１は内面２０３３を有し、これは第１壁２００９のエッジ２０３５に一致するように構成される。突出部２０３１の端にはキャッチ部２０３７が具備され、これは第１壁２００９のエッジ２０３５に対して突き出るその後に延びるように設計される。なお突出部２０３１の少なくとも一部は変形可能に形成され、その係合部分を起上可能にする。すなわちキャッチ部２０３７はエッジ２０３５に接触すると、部分２０２７から変形してエッジ２０３５をスライドしながらこれを通過して再び部分２０２７に偏向する。この場合好適にはスナップ係合が実現される。
【０２５２】
同様に第２部２０１９は第２突出部２０３９を有する。この突出部２０３９は第２壁のエッジ２０４３に一致する内面２０４１を有する。突出部２０３９の端にはキャッチ部２０３７が具備され、これは第１壁２００９のエッジ２０４５上を延びてこの後に向く。なお突出部２０３１の少なくとも一部はその係合を実現するために変形可能に形成される。
【０２５３】
また別の実施形態として、突出部２０３１とキャッチ部２０３７及び／又は第２突出部２０３９とキャッチ部２０４５は２以上の相互間にギャップが設けられる個別部分に具備されうる。突出部及び／又はキャッチ部はこのギャップにおいては存在しないように構成されうる。好ましくは図３７に示されるようのこのような個別部分が２つ設けられる。また、理想的には部分２０２７は突出部とキャッチ部とに直面する部分において穴を構成する（図３７参照）。
【０２５４】
ある技法によると、取り付け部２００１を枠組み２００３に取り付けるために取り付け部２００１は枠組み２００３の角部に沿って配置される。取り付け部材２００１に矢印Aの方向に沿った力を印加することのよって突出部２０３１と２０３９とがともに変形する。よってこれらの突出部はそれぞれエッジ２０３５，２０４３と通過してエッジ３５，２０４３の後の位置に戻る。この位置につくと各エッジ２０３５，２０４３の内面２０３３、２０４１及びキャッチ２０３７，２０４５との係合によって取り付け部材２００１が取り外されないようにしっかりと設置される。よって通常利用のための頑丈な設置が実現される。
【０２５５】
なお取り付け部材を取り外す必要がある場合は手でキャッチ２０３７，２０４５を部分２０２９から動かして係合を解除することが可能である。
【０２５６】
また、突出部は取り付け部材２００１を枠組み２００３に取り付けるのとは別に変形されうる。この場合まず矢印BまたはCの方向に沿った力を印加した後に残りの２つの方向に沿った力を印加する。
【０２５７】
取り付け部材２００１を枠組み２００３に取り付ける別の方法として図３８のシーケン図に示されるようにまずスキャッチ２０３７を内面２０３３に接触する枠組みのエッジ２０３５に嵌め込む。なお、ここではキャッチ２０３７を変形させる必要がない。次に取り付け部材２００１を矢印Bの方向に滑らせる。取り付け部材２００１をこのように下に滑らせることによってキャッチ２０４５が枠組み２００３の上部２０１１、とりわけエッジ２０４３に接近することとなる。そしてこの下方向への力の印加によってキャッチ２０４５が変形しエッジ２０４３が内面２０４１と係合される。取り付け部材が所定の位置に設置されると、アイテムが固定部２０４６によって取り付けられうる。なお、この固定部の固定を解除することによりこのアイテムは随時取り外し可能である。以下において図３５及び３６を参照しながら本発明による実施例で適用されるキャッチ及び内面の構成について説明する。
【０２５８】
なお、取り付け部材が取り付けられた状態が図３１及び３８において示される。
【０２５９】
取り付け部材２００１は第１部２０１９において固定系の第１構成部を具備する。この例では第１構成部は陥凹部２０４９に設けられるメス部に相当する。陥凹部２０４９は壁２０５１によって形成され、これら壁２０５１には取り付け部材２００１に具備される固定系の第１構成部と取り付けるアイテムに具備される固定系の第２構成部との確実な係合を実現するために絞め具２０５３及び２０５５が設けられる。図示される例では使用中には、固定系の第１構成部はオス部を構成する固定系の第２構成部を受け止める。なお、オス部とメス部は相互に取り外し可能に係合される。理想的には天蓋、日よけのどのアイテムはこのようの固定系を１または複数適用して家具の枠組みに固定される。
【０２６０】
図３２は本実施例による取り付け部材２００１が２つ枠組み２００３の各角に取り付けられた状態を示す。各角に設置される取り付け部材２００１は相互対称的である。なお、部分２０２７は、家具の前面からユーザの位置するほうへ延びる天蓋によって印加される回転力に抵抗するのに効果的である。部分２０２７によって提供される大きなプレートは負荷を分散する機能を有する。また取り付け部の位置付け及びこの形状もこの負荷を家具の側壁に分散する機能を有する。また部分２０２７は第１部２０１５と第２部２０１９との相互位置関係を維持する機能を有する。よってこれら部分それぞれの突出部２０３１と２０３９との相互位置関係も維持されうる。天蓋が取り付けられると、この天蓋自体も全体構成に強度を提供し、取り付け部材の枠組みからの動作を抑制しうる。
【０２６１】
図３３は家具の枠組み２００３の取り付け部材の後部を示す図である。
【０２６２】
取り付け部材２００１は一体構成によって実現されるため、設置対象となる枠組み２００３に対して変更、変形や改造を要さない。すなわち枠組み２００３に穴を形成するなどの処理を施す必要はないため、本実施例による取り付け部材２００１は特に既存の構成への導入などに好適である。また新たな家具製品のオプショナルな付属品としてこのような取り付け部材２００１を提供することも可能である。
【０２６３】
なお、他の枠組み２００３の設計に対応した取り付け部材２００１の変形例は、取り付け部材２００１の設計を若干変更することによって容易に実現可能である。このような変形例は異なる壁の厚さ、壁の深さ、側壁・上壁間の角度、湾曲形状、エッジ形状などに対応しうる。
【０２６４】
図３４は本発明による更なる実施例を示す。この例ではクランプ部２１００が若干異なる形態で設置される。ここではクランプ部２１００は分解された状態では取り付け部材２００１とは別部品を構成する。取り付け部材２００１は上記方法と略同様に設置されるが、ここでは取り付け部材を所定の位置に設置する際はどの部分も変形させる必要はない。その代わりにクランプが突出部２０３１と係合する取り外し可能な固定器具２１０２によって取り付け部材２００１に取り付けられる。ネジなどの取り外し可能な固定器具２１０２は枠組みの壁２００９と接触しあるいはこれを破損させることなくクランプ部を通過して突出部２０３１に達する。これらの固定器具２１０２を絞めることによって壁２００９がクランプ部２１００と第１部２０１５との間でクランプされる。また他方の突出部２０３９のためにも同様にクランプ部２１０４が設けられる。また、固定器具２１０２を突出部２０３１、２０３９に係合させる代わりに、クランプ部２１００、２１０４を通過して壁２００９、２０１１を介して取り付け部材２００１に達するようにすることも可能であるが、これは上記実施例ほど好適ではない。
【０２６５】
図３５，３６は取り付け部材を枠組みに滑らせて設置する実施例において特に好適に適用されうるキャッチ及び内面の構成を示す。図３５は側部キャッチ２０３７の平面図である。この図は対象の枠組みのエッジ形状と一致する内面を２０３３の構成を示す。ここではエッジ及びキャッチが相互係合するために変形する必要がないためこの内面を形成する壁２６００は比較的大きく設計される。よってより強い係合が実現されうる。図３６はまた異なる構成を有する上部キャッチ２０４５の側面図である。この場合もキャッチ２０４５は変形する必要がないため、取り付け部材が滑り降りた際エッジはこのキャッチ２０４５を通過してそのまま内面２０４１と係合する。この工程を補助するために内面２０４１の一部を形成する壁２７００は壁２６００よりも短く設計され、さらに傾斜端部２７０２を有する。この傾斜端部はエッジの係合位置までの通過を容易にし、且つキャッチ２０４５の変形を補助する。またこの側部及び上部キャッチ部の位置を逆にして、上部をスライド係合にし、側部をスナップ係合によって取り付け部材を設置することももちろん可能である。
【０２６６】
取り付け部材２００１を枠組み２００３から取り外す必要がある場合、これは容易に実行されうる。すなわち天蓋をその取り付け部材からはずした後、各取り付け部材は枠組みにおける使用位置から上部エッジのほうにスライドさせることによって取り外されることが可能である。これによって取り付け部材２００１は容易に枠組み２００３から取り外されることが可能である。図３１の場合この取り外しは、取り付け部材２００１を枠組みの上部エッジのほうに時計回りに回転させることによって実現されうる。また、枠組みの他方の角に設置された取り付け部材（非図示）の場合これを反時計回り方向に回転させることによって取り外しが実現されうる。なお、天蓋が取り付けられている際はこの天蓋のアームが２つの取り付け部材２００１の位置を支持してこのような取り外し動作に抵抗するため取り付け部材２００１が取り外されることが抑止されうる。
【０２６７】
図３７は取り付け部材のまた別の構成例を示す。ここでの取り付け部材の構成は、部分２０２７の構成以外については上記実施例と同様である。図示される断面図では突出部２０３１，２０３９が省かれ、部分２０２７におけるいくつかの貫通孔２８００を示す。これら貫通孔２８００のうちの１または複数は突出部２０３１，２０３９に合わせて配列され、製造工程においてこれら突出部が適正に成形されうるようにする。
【図面の簡単な説明】
【０２６８】
【図１】本発明の第１実施例によるラウンジチェア及び２つのラウンジチェアアクセサリの斜視図である。
【図２ａ】本発明の実施例による天蓋の折りたたみ状態を示す図である。
【図２ｂ】本発明の実施例による天蓋の使用中の状態を示す図である。
【図３】本発明の実施例によるラウンジチェアの背もたれの一部及び取り付けられた天蓋一部の側面図である。
【図４】図３に示される天蓋の一部の斜視図である。
【図５】本発明の実施例による天蓋の布がはずされた状態を示す斜視図である。
【図６】本発明の実施例による天蓋の２つのジョイントの拡大図である。
【図７】本発明のまた別の実施例による天蓋の一部分を示す拡大図である。
【図８】図７の天蓋を線ＡＡ−ＡＡ沿って切断した断面図である。
【図９】本発明の更なる実施例によるラウンジチェア及びラウンジチェアアクセサリの斜視図である。
【図１０】本発明の実施例による固定系の第１構成部及び第２構成部の側面図であって、第２構成部はクランプによってラウンジチェアの管状上部枠組みに取り付けられた状態を示す図である。
【図１１】本発明の実施例による固定系の第１構成部及び第２構成部の正面図であって、第２構成部はクランプによってラウンジチェアの管状側部枠組みに取り付けられた状態を示す図である。
【図１２】本発明の実施例による固定系の第２構成部を設置する技法を説明する図であって特に木製家具などに窪みを形成することによって第２構成部を提供する方法を説明する図である。
【図１３】本発明の実施例による固定系の第２構成部を設置する技法を説明する図であって特に管状金属性家具などに第２構成部を取り付ける方法を説明する図である。
【図１４】本発明の実施例による天蓋の折りたたまれた状態を示す図である。
【図１５】本発明の一実施例によるアームの断面斜視図である。
【図１６】本発明の好適な実施例の拡大図である。
【図１７】図１６の構成の組み立てられた状態を示す図である。
【図１８】図１６及び１７の構成が使用されることによって提供される日陰を示す図である。
【図１９】本発明の実施例による天蓋の折りたたみ構成を示す図である。
【図２０】ジョイントの一部を示す斜視図である。
【図２１】第１ジョイントの一部の構成を示す図である。
【図２２】モジュラー方式による第１アームの構成を示す図である。
【図２３】本発明の実施例による取り付け部材が枠組みに適用される状態を正面から示す図である。
【図２４】図２３の取り付け部材の後部を示す図である。
【図２５】本発明の更なる実施例による取り付け部材の正面図である。
【図２６】図２５の取り付け部材の一部分の内部を示す図である。
【図２７】本発明の更なる実施例を示す図である。
【図２８】図２７の更なる実施例による取り付け部材の解体された状態を示す上部斜視図である。
【図２９】図２７の更なる実施例による取り付け部材の解体された状態を示す下部斜視図である。
【図３０】本発明の実施例による家具の枠組みの一部及び取り付け部材の取り外された状態を示す後部斜視図である。
【図３１】図１の家具の枠組み及び取り付け部材の組み合わされた状態を示す図である。
【図３２】本発明の実施例による２つの取り付け部材を適用する椅子の背もたれにこれら取り付け部材が取り付けられた状態を示す正面図である。
【図３３】本発明の実施例による２つの取り付け部材を適用する椅子の背もたれにこれら取り付け部材が取り付けられた状態を示す後部図である。
【図３４】本発明のまた別の実施例を示す図である。
【図３５】本発明の実施例に適用されうるキャッチ部の断面図である。
【図３６】本発明の実施例に適用されうるまた別のキャッチ部の断面図である。
【図３７】本発明のまた別の実施例による取り付け部材の断面図である。
【図３８】取り付け部材を枠組みに設置して、この取り付け部材にアイテムを取り付ける工程のシーケンスを示す図である。
【図１】
2005533539.tif 000003
2005533539.tif 000004
【図３】
2005533539.tif 000005
【図４】
2005533539.tif 000006
【図５】
2005533539.tif 000007
【図６】
2005533539.tif 000008
【図７】
2005533539.tif 000009
【図８】
2005533539.tif 000010
【図９】
2005533539.tif 000011
【図１０】
2005533539.tif 000012
【図１１】
2005533539.tif 000013
【図１２】
2005533539.tif 000014
【図１３】
2005533539.tif 000015
【図１４】
2005533539.tif 000016
【図１５】
2005533539.tif 000017
【図１９】
2005533539.tif 000018
【図１６】
2005533539.tif 000019
【図１７】
2005533539.tif 000020
【図１８】
2005533539.tif 000021
【図２０】
2005533539.tif 000022
【図２１】
2005533539.tif 000023
【図２２】
2005533539.tif 000024
【図２３】
2005533539.tif 000025
【図２４】
2005533539.tif 000026
【図２５】
2005533539.tif 000027
【図２６】
2005533539.tif 000028
【図２７】
2005533539.tif 000029
【図２８】
2005533539.tif 000030
【図２９】
2005533539.tif 000031
【図３０】
2005533539.tif 000032
【図３１】
2005533539.tif 000033
【図３２】
2005533539.tif 000034
【図３３】
2005533539.tif 000035
【図３４】
2005533539.tif 000036
【図３５】
2005533539.tif 000037
【図３６】
2005533539.tif 000038
【図３７】
2005533539.tif 000039
【図３８】
2005533539.tif 000040
【手続補正書】
【提出日】平成16年6月18日(2004.6.18)
【手続補正１】
【補正対象書類名】特許請求の範囲
【補正対象項目名】全文
【補正方法】変更
【補正の内容】
【特許請求の範囲】
【請求項１】
家具用品に取り付けるための天蓋であって、前記天蓋は
第１アームを含む第１部分を有し、前記第１アームの一端部又はこの付近には固定系の第１構成部が具備され、前記第１アームの他方の端部又はこの付近にはジョイントが具備され、
第２アームを含む第２部分を有し、前記ジョイントは第２アームに接続され、前記ジョイントは前記第１アームの第２アームに対する方位付けを変動可能にし、前記第２アームは第２ジョイントを有し、前記第２アームはスクリーンを支持し、
更なるアームを含む第３部分を有し、前記第２ジョイントは前記更なるアームに接続され、前記第２ジョイントは前記第２アームの前記更なるアームに対する方位付けを変動可能にし、前記更なるアームはスクリーンを支持し、
前記第２部分と第３部分との相互角度関係は調節可能に構成されることを特徴とする天蓋。
【請求項２】
前記第２アームは第３アームを介して前記更なるアームに非直接的に接続されることを特徴とする請求項１記載の天蓋。
【請求項３】
第１及び／又は第２及び／又は第３及び／又は更なるアームの対が設けられることを特徴とする請求項１又は２記載の天蓋。
【請求項４】
前記家具用品は椅子、デックチェア、ラウンジチェア、リクライニングチェア、座席、又はリクライニングシートに相当することを特徴とする請求項１乃至３記載の天蓋。
【請求項５】
前記第１アームの長さは１又は複数のリピート部によって変更可能であることを特徴とする請求項１乃至４記載の天蓋。
【請求項６】
前記１又は複数のジョイントは一面上に半径方向に延びる一連のリッジによって構成されるラチェットを有し、前記一面は各ジョイントに具備され、前記一面は相互に係合するリッジを保持することを特徴とする請求項１乃至５記載の天蓋。
【請求項７】
前記ジョイントの一部分はその回転軸を包囲する突起部を具備し、前記突起部は前記ジョイントの他方の部分の回転軸周囲に具備される陥凹部と連結することを特徴とする請求項６記載の天蓋。
【請求項８】
前記１又は複数のジョイント、とりわけ前記第１ジョイントは一方向における回転限度を有し、前記回転限度は前記ジョイントの一部分に具備される突出部及び前記ジョイントの他方の部分に具備されるストップによって構成され、前記突出部と前記ストップとは前記回転限度において相互接触するように構成されることを特徴とする請求項６記載の天蓋。
【請求項９】
前記ストップは金属補強部材を具備することを特徴とする請求項８記載の天蓋。
【請求項１０】
前記ジョイントは前記回転限度においてストップと接触する更なる突出部を有し、前記更なる突出部は前記第１突出部から円周上に角度１６０度から２００度離間されることを特徴とする請求項８又は９記載の天蓋。
【請求項１１】
前記天蓋は４以上のセクションから構成されることを特徴とする請求項１乃至１０記載の天蓋。
【請求項１２】
前記第１セクションは第１アームの対及び第１ジョイント間のリンクによって形成され、前記第２セクションは第２アームの対、前記第１ジョイント間のリンク、及び前記第２ジョイント間のリンクから形成され、前記第３セクションは更なるアームの対、前記第２ジョイント間のリンク、及び更なるジョイント間のリンクによって形成されることを特徴とする請求項１２記載の天蓋。
【請求項１３】
前記第１アーム間の間隔は前記第２アーム間の間隔よりも小さく、前記更なるアーム間の間隔は前記第３アーム間の間隔よりも小さいことを特徴とする請求項１乃至１２記載の天蓋。
【請求項１４】
前記第１アームは前記第２アームよりも短く、前記更なるアームは前記第３アームよりも短いことを特徴とする請求項１乃至１３記載の天蓋。
【請求項１５】
天蓋を家具用品に取り付ける方法であって、前記方法は家具用品に固定系の１又は複数の第２構成部を設置し、天蓋を設置する工程を含み、前記天蓋は
第１アームを含む第１部分を有し、前記第１アームの一端部又はこの付近には固定系の第１構成部が具備され、前記第１アームの他方の端部又はこの付近にはジョイントが具備され、
第２アームを含む第２部分を有し、前記ジョイントは第２アームに接続され、前記ジョイントは前記第１アームの第２アームに対する方位付けを変動可能にし、前記第２アームは第２ジョイントを有し、前記第２アームはスクリーンを支持し、
更なるアームを含む第３部分を有し、前記第２ジョイントは前記更なるアームに接続され、前記第２ジョイントは前記第２アームの前記更なるアームに対する方位付けを変動可能にし、前記更なるアームはスクリーンを支持し、
前記第２部分と第３部分との相互角度関係は調節可能に構成され、
前記方法は更に前記固定系の前記第１構成部を前記第２構成部に接続する工程を含むことを特徴とする方法。
【請求項１６】
固定系の一構成部分を含む取り付け部材であって、前記取り付け部材は第１部分及び第２部分から構成され、前記第１部分と第２部分とは相互に取り外し可能に係合され、前記第１部分と第２部分は前記第１部分と第２部分との間に導管を形成し、前記導管は使用中枠組みを受け止め、前記第１部分は所定位置で前記導管と対面する第１枠組み係合部及び所定位置で前記導管と対面する第２枠組み係合部を有し、前記第１枠組み係合部の所定位置における前記導管の軸は前記第２枠組み係合部の所定位置における導管の軸と異なるように構成されることを特徴とする取り付け部材。
【請求項１７】
前記取り付け部材が使用中に取り付けられるアイテムとして天蓋、日除け、日除けスクリーン、かさ、パラソル、雨よけ、又はテーブルが取り付けられることを特徴とする請求項１６記載の取り付け部材。
【請求項１８】
前記取り付け部材の陥凹部が２つの部分によって構成され、このうちの第１の部分は前記取り付け部材の第１部分における陥凹部によって構成され、第２の部分は前記取り付け部材の第２部分における陥凹部によって構成されることを特徴とする請求項１６又は１７いずれかに記載の取り付け部材。
【請求項１９】
特に育児用装備において適用される取り付け部材において前記陥凹部は前記取り付け部材の第１部分によって構成されることを特徴とする請求項１７又は１８いずれかに記載の取り付け部材。
【請求項２０】
前記取り付け部材の第１本体部は取り外し可能な固定部の設置箇所を有し、前記取り外し可能な固定部は前記取り付け部材の第２本体部における設置箇所及び／又は前記第２本体部の内面に係合するように構成されることを特徴とする請求項１６乃至１９のいずれかに記載の取り付け部材。
【請求項２１】
前記導管は連続導管を構成することを特徴とする請求項１６乃至２０のいずれかに記載の取り付け部材。
【請求項２２】
前記導管は前記第１枠組み係合部及び前記第２枠組み係合部のみによって形成されることを特徴とする請求項１６乃至２０いずれかに記載の取り付け部材。
【請求項２３】
前記第１枠組み係合部と前記第２枠組み係合部との間において前記導管は開口部を形成し、前記開口部は前記枠組みの第１線形素子と第２線形素子とを連結するリンク素子として各種異なる湾曲形状又は湾曲直径を有するリンク素子を収容可能に構成されることを特徴とする請求項１６乃至２２いずれかに記載の取り付け部材。
【請求項２４】
前記取り付け部材は湾曲素子によって連結される第１素子及び第２素子によって構成される箇所において前記枠組みに取り付けられることを特徴とする請求項１６乃至２３いずれかに記載の取り付け部材。
【請求項２５】
前記第１部分の前記第１枠組み係合部の形状は係合対象の枠組みの素子の形状に一致するように構成され、前記第２部分の前記第１枠組み係合部の形状は係合対象の素子の形状に一致するように構成されることを特徴とする請求項１６乃至２４いずれかに記載の取り付け部材。
【請求項２６】
前記第１枠組み係合部の位置における前記導管の軸及び／又は前記第２枠組み係合部の位置における前記導管の軸はその点における軸の投射に相対することを特徴とする請求項１６乃至２５いずれかに記載の取り付け部材。
【請求項２７】
各第１枠組み係合部の位置における前記導管は共に同一の軸を有し、各第２枠組み係合部の位置における前記導管はともに同一の軸を有することを特徴とする請求項１６乃至２６いずれかに記載の取り付け部材。
【請求項２８】
１つ又は両方の第１枠組み係合部の軸は１つ又は両方の第２枠組み係合部の軸と３０度以上異なることを特徴とする請求項１６乃至２７いずれかに記載の取り付け部材。
【請求項２９】
１つ又は両方の第１枠組み係合部の軸は１つ又は両方の第２枠組み係合部の軸と７５度以上異なることを特徴とする請求項１６乃至２６いずれかに記載の取り付け部材。
【請求項３０】
固定系の一部分を含む取り付け部材であって、前記取り付け部材は第１部分及び第２部分から構成され、前記第１及び第２部分は相互に取り外し可能に枠組みの周りに係合し、前記枠組みは前記取り付け部材の第１及び第２部分によって形成される導管内に受け止められ、各第１及び第２部分はそれぞれ前記導管の一端部又はこの付近において前記導管内に第１枠組み係合部を具備し、前記導管の他方の端部又はこの付近において前記導管内に第２枠組み係合部を具備し、前記第１枠組み係合部は相互に対向し、前記第２枠組み係合部は相互に対向し、前記一端部における前記導管の軸は前記他方の端部における前記導管の軸に対して７５度以上の角度を形成することを特徴とする取り付け部材。
【請求項３１】
陥凹部に具備される固定系のメス部を含む取り付け部材であって、前記取り付け部材は第１部分及び第２部分から構成され、前記第１部分は第１本体部、導管形成部、及び第２本体部を含み、第２部分は第１本体部、導管形成部、及び第２本体部を含み、前記第１部分と前記第２部分とは実施知的に相互対称的に構成され、前記第１及び第２部分によって形成される前記導管は使用中家具用品の枠組みの一部を包囲し、前記導管は前記枠組み第１線形素子の少なくとも一部分、前記枠組みの湾曲素子、及び前記枠組みの第２線形素子の少なくとも一部分を受け止めるように構成されることを特徴とする取り付け部材。
【請求項３２】
固定系の一部分を含む取り付け部材を枠組みに取り付ける方法であって、
前記取り付け部材の第１部分を前記枠組みの一端部に設置し、前記枠組みが部分的に前記第１部分によって形成される導管内に受け止められるようにし、
前記取り付け部材の第２部分を前記枠組みの他方の端部に設置し、前記枠組みが部分的に前記第２部分によって形成される導管内に受け止められるようにし、
１又は複数の固定器具を用いて前記取り付け部材の前記第１及び第２部分を結合させて、これら部分間に位置する枠組みを前記導管内に収容されるようにし、前記第１及び第２部分の各第１枠組み係合部と、前記第１及び第２部分の各第２枠組み係合部とが前記枠組みに係合するようにする工程を含み、
前記導管の一端部又はこの付近における前記枠組みの軸は前記導管の他方の端部又はこの付近における前記枠組みの軸とは異なる角度に方位付けられることを特徴とする方法。
【請求項３３】
前記方法は更に前記固定系のもう一部分を具備する天蓋、日除け、又はサンシェードを前記取り付け部材に含まれる固定系の前記一部分を用いて前記取り付け部材に取り付ける工程を含むことを特徴とする請求項３２記載の方法。
【請求項３４】
固定系の一部分を含む取り付け部材であって、
第１素子、第２素子、及び更なる素子を有し、
前記第１素子は第１アイテム接触面及び第１アイテム係合面を有し、前記第１アイテム係合面の少なくとも一部分は第１アイテム接触面と反対方向に面し、
前記第２素子は第２アイテム接触面及び第２アイテム係合面を有し、前記第２アイテム係合面の少なくとも一部分は第２アイテム接触面と反対方向に面し、
前記更なる素子は更なるアイテム接触面を有し、
前記第１、第２、及び更なるアイテム接触面は相互対して方位付けられるように行為制されることを特徴とする取り付け部材。
【請求項３５】
固定系の一部分を含む取り付け部材であって、
第１素子、第２素子、及び更なる素子を有し、前記更なる素子は更なるアイテム接触面を有し、
前記第１素子は第１アイテム接触面及び第１アイテム係合面を有し、前記第１アイテム係合面の少なくとも一部分は第１アイテム接触面に対面し、
前記第２素子は第２アイテム接触面及び第２アイテム係合面を有し、前記第２アイテム係合面の少なくとも一部分は第２アイテム接触面に対面し、
前記第１、第２、及び更なるアイテム接触面は相互対して方位付けられるように行為制されることを特徴とする取り付け部材。
【請求項３６】
前記取り付け部材はプラスチック製であることを特徴とする請求項３４又は３５記載の取り付け部材。
【請求項３７】
前記取り付け部材はアイテムのための取り付け部材であって、前記アイテムは椅子、陸ラインイングチェア、ラウンジチェア、リクライニングラウンジ、又はその他の家具に相当することを特徴とする請求項３４乃至３６にいずれかに記載の取り付け部材。
【請求項３８】
前記固定系の一部分は前記取り付け部材内の陥凹部に具備されることを特徴とする請求項３４乃至３７のいずれかに記載の取り付け部材。
【請求項３９】
前記第１素子は前記固定系の一部分が設置される側の反対側に第１アイテム接触面を具備することを特徴とする請求項３４乃至３８のいずれかに記載の取り付け部材。
【請求項４０】
前記第１アイテム係合部／面、前記第１アイテム接触面、及び更なる素子の間に形成される開口部の断面は前記アイテムのその位置における断面と一致することを特徴とする請求項３４乃至３９のいずれかに記載の取り付け部材。
【請求項４１】
前記アイテム係合部は前記第１素子からの突出部から構成され、前記アイテム係合部は前記更なる素子に対面し且つ／又は前記第１接触面に隣接する第１アイテム接触面を具備することを特徴とする請求項３４乃至４０のいずれかに記載の取り付け部材。
【請求項４２】
前記第１アイテム係合面は前記接触面に対面する１又は複数の部分を有することを特徴とする請求項３４乃至４１のいずれかに記載の取り付け部材。
【請求項４３】
前記第１アイテム係合部の少なくとも一部分及び／又は前記第１アイテム係合面は変形可能であり、第１正常状態が提供され、第２変形状態が提供され、前記第１アイテム係合部／面は取り付けを可能にするために前記第２変形状態に設定され、前記第１アイテム係合部／面は取り付けられると前記第１正常状態に戻るあるいは設定されることを特徴とする請求項３４乃至４２のいずれかに記載の取り付け部材。
【請求項４３】
前記第１アイテム係合部又は第２アイテム係合部のうちの１つはそれぞれの素子及び／又はアイテム接触面に対面する壁を有し、前記壁はその素子からの突出部上に具備されることを特徴とする請求項３４乃至４２のいずれかに記載の取り付け部材。
【請求項４４】
前記更なる素子は実質的に平面状であって、前記更なる素子は内部に更なるアイテム接触面を具備し、前記更なる素子は更なる接触面を有し、前記接触面の形状は前記アイテムの適用箇所における外面形状と一致するように構成されることを特徴とする請求項３４乃至４３のいずれかに記載の取り付け部材。
【請求項４５】
前記更なる素子は前記第１素子と前記第２素子とを連結し、前記第１、第２、及び更なる素子は角形状取り付け部材を構成することを特徴とする請求項３４乃至４４のいずれかに記載の取り付け部材。
【請求項４６】
前記第１及び／又は第２及び／又は更なる素子は相互に対して７０度から１１０度の角度に方位付けられることを特徴とする請求項３４乃至４５のいずれかに記載の取り付け部材。
【請求項４７】
前記更なる素子は１又は複数の貫通孔を有し、前記更なる素子は各第１アイテム係合部付近部位において前記各第１アイテム係合部に対応する前記貫通孔を１以上具備し、且つ／又は各第２アイテム係合部付近部位において前記各第２アイテム係合部に対応する前記貫通孔を１以上具備することを特徴とする請求項３４乃至４６のいずれかに記載の取り付け部材。
【請求項４８】
固定系の一部分を含む取り付け部材を好ましくは家具などのアイテムに取り付ける方法であって、
取り付け部材を設置する工程を含み、前記取り付け部材は
第１素子、第２素子、及び更なる素子を有し、
前記第１素子は第１アイテム接触面及び第１アイテム係合面を有し、前記第１アイテム係合面の少なくとも一部分は第１アイテム接触面と反対方向に面し、
前記第２素子は第２アイテム接触面及び第２アイテム係合面を有し、前記第２アイテム係合面の少なくとも一部分は第２アイテム接触面と反対方向に面し、
前記更なる素子は更なるアイテム接触面を有し、
前記第１、第２、及び更なるアイテム接触面は相互に対して方位付けられ、前記方法は更に
前記第１及び第２アイテム係合部及び／又は第１及び第２アイテム係合面の少なくとも一部分を第１正常状態から第２変形状態に変形させて、
前記取り付け部材を取り付け位置に設置し、前記第１及び第２アイテム係合部／面を第１正常状態に戻す工程を含むことを特徴とする方法。
【請求項４９】
前記第１正常状態から前記第２変形状態への変更は前記第１及び第２アイテム係合面／部においてそれぞれ別々に実現されることを特徴とする請求項４８記載の方法。
【手続補正２】
【補正対象書類名】明細書
【補正対象項目名】０００１
【補正方法】変更
【補正の内容】
【０００１】
本発明は家具及び／又は育児用装備及び／又は天蓋の改善技術に係り、特にラウンジチェアやリクライニングチェアなどのレクリエーション家具などに関する改善技術に係る。また、本発明は固定取り付け部材であって、特に天蓋や日除けなどを乳母車や車輪付き手押し椅子等の家具又は育児用装備の取り付けるために適用される固定取り付け部材の改善技術に関する。更に本発明は固定取り付け部材であって、特に家具に天蓋や日除けなどを取り付けるために適用される固定取り付け部材における改善技術に関する。
【手続補正３】
【補正対象書類名】明細書
【補正対象項目名】０００３
【補正方法】変更
【補正の内容】
【０００３】
このような家具の利便性を向上するために、本発明は各所アクセサリをこのような家具の部分に取り付け可能にする手段を提供することを目的とする。また、本発明はこのような家具のための有用な多目的アクセサリを提供することを目的とする。また、本発明はこのような取り付け手段を家具の構造や枠組みなどにとらわれず様々な形態のレクリエーション家具に適用できるように構成することを目的とする。また、本発明は製造者などにとらわれず様々なレクリエーション家具に取り付け可能である取り付け手段を具備するアクセサリを提供することを目的とする。更に本発明は簡単に取り付け／取り外しが可能で、このような操作を常時又は頻繁に実行するユーザにとって好都合である取り付け手段を提供することを目的とする。また本発明は上記以外にも育児用装備のための天蓋などを含む様々な状況に対応する天蓋を提供することをその目的とする。
【手続補正４】
【補正対象書類名】明細書
【補正対象項目名】０００８
【補正方法】変更
【補正の内容】
【０００８】
本発明の第１仕様としては、家具用品に取り付けるための天蓋であって、前記天蓋は第１アームを含む第１部分を有し、前記第１アームの一端部又はこの付近には固定系の第１構成部が具備され、前記第１アームの他方の端部又はこの付近にはジョイントが具備され、前記天蓋は更に第２アームを含む第２部分を有し、前記ジョイントは第２アームに接続され、前記ジョイントは前記第１アームの第２アームに対する方位付けを変動可能にし、前記第２アームは第２ジョイントを有し、前記第２アームはスクリーンを支持し、前記天蓋は更に更なるアームを含む第３部分を有し、前記第２ジョイントは前記更なるアームに接続され、前記第２ジョイントは前記第２アームの前記更なるアームに対する方位付けを変動可能にし、前記更なるアームはスクリーンを支持し、前記第２部分と第３部分との相互角度関係は調節可能に構成されるような天蓋を提供する。
【手続補正５】
【補正対象書類名】明細書
【補正対象項目名】００５６
【補正方法】変更
【補正の内容】
【００５６】
本発明の第２仕様としては、天蓋を家具用品に取り付ける方法であって、前記方法は家具用品に固定系の１又は複数の第２構成部を設置し、天蓋を設置する工程を含み、前記天蓋は第１アームを含む第１部分を有し、前記第１アームの一端部又はこの付近には固定系の第１構成部が具備され、前記第１アームの他方の端部又はこの付近にはジョイントが具備され、前記天蓋は更に第２アームを含む第２部分を有し、前記ジョイントは第２アームに接続され、前記ジョイントは前記第１アームの第２アームに対する方位付けを変動可能にし、前記第２アームは第２ジョイントを有し、前記第２アームはスクリーンを支持し、前記天蓋は更に更なるアームを含む第３部分を有し、前記第２ジョイントは前記更なるアームに接続され、前記第２ジョイントは前記第２アームの前記更なるアームに対する方位付けを変動可能にし、前記更なるアームはスクリーンを支持し、前記第２部分と第３部分との相互角度関係は調節可能に構成され、前記方法は更に前記固定系の前記第１構成部を前記第２構成部に接続する工程を含むような方法を提供する。
【国際調査報告】
2005533539.tif 000041
2005533539.tif 000042
2005533539.tif 000043
2005533539.tif 000044